(57)【要約】  この出願は、アップリンク電力制御方法及び装置を提供する。ネットワーク側デバイスは、RACHの複数の設定情報をUEに送信し、RACHのスケジューリングメッセージを使用することにより、UEにより使用されるRACHの設定情報に対応する識別子情報を指示する。UEは、識別子情報に対応するRACHの設定情報に基づいて、RACHの送信電力を計算し、RACHの送信電力に基づいて、ランダムアクセスプリアンブルをネットワーク側デバイスに送信する。RACHの各設定情報は、ネットワーク側デバイスの受信ビーム又はUEの送信ビームに対応し、それにより、ネットワーク側デバイスは、RACHの送信電力を正確に制御してアップリンクRACHのアクセス成功率を改善するために、異なる受信ビーム又は送信ビームのビームフォーミング利得における変化に基づいて、RACHの送信電力を動的に調整できる。
2019533938.tif 000002
【特許請求の範囲】
【請求項１】
ランダムアクセスチャネル電力制御方法であって、
ユーザ装置UEにより、ネットワーク側デバイスにより送信されたランダムアクセスチャネルRACHの複数の設定情報を受信するステップと、
前記UEにより、前記ネットワーク側デバイスにより送信された前記RACHのスケジューリングメッセージを受信するステップであり、前記RACHの前記スケジューリングメッセージは、前記RACHの前記複数の設定情報のうちの1つの識別子情報を含む、ステップと、
前記UEにより、前記RACHの前記スケジューリングメッセージに含まれる前記識別子情報に基づいて、前記RACHの前記複数の設定情報から前記識別子情報に対応する前記RACHの前記設定情報を決定するステップと、
前記UEにより、前記RACHの前記決定された設定情報に基づいて、前記RACHの送信電力を計算し、前記RACHの前記送信電力に基づいて、ランダムアクセスプリアンブルを前記ネットワーク側デバイスに送信するステップと
を含む方法。
【請求項２】
前記RACHの各設定情報は、以下の情報、すなわち、前記ネットワーク側デバイスにより使用される受信ビームの電力オフセット値、ランダムアクセスプリアンブルのフォーマット情報、前記ネットワーク側デバイスの目標受信電力、前記プリアンブルのフォーマット補正値、前記プリアンブルを送信する回数、及び前記プリアンブルが再送されるときの電力ランピングステップ情報のうちの1つ以上の情報を含む、請求項１に記載の方法。
【請求項３】
前記RACHの各設定情報は、前記ネットワーク側デバイスの受信ビームに対応する、請求項１に記載の方法。
【請求項４】
前記RACHの各設定情報は、前記UEの送信ビームに対応する、請求項１に記載の方法。
【請求項５】
前記RACHの前記複数の設定情報は、ブロードキャストチャネル又はシステム情報を使用することにより、前記ネットワーク側デバイスにより前記UEに送信される、請求項１乃至３のうちいずれか１項に記載の方法。
【請求項６】
前記RACHの前記スケジューリングメッセージは、物理層制御コマンドを使用することにより、前記ネットワーク側デバイスにより前記UEに指示される、請求項１乃至３のうちいずれか１項に記載の方法。
【請求項７】
前記プリアンブルは、S個のサイクリックプレフィックス及びT個の系列を含み、前記プリアンブルの前記フォーマット情報は、サイクリックプレフィックスの数S及び/又は系列の数Tを含み、S及びTは1以上の整数である、請求項２に記載の方法。
【請求項８】
前記サイクリックプレフィックスの数S及び前記系列の数Tは、以下のこと、すなわち、TはSの整数倍であることを満たす、請求項７に記載の方法。
【請求項９】
前記UEの送信ビームが切り替えられるとき、前記RACHの前記設定情報に含まれる電力ランピング回数は変更されないままである、請求項１に記載の方法。
【請求項１０】
ランダムアクセスチャネル電力制御方法であって、
ネットワーク側デバイスにより、ランダムアクセスチャネルRACHの複数の設定情報をユーザ装置UEに送信するステップと、
前記ネットワーク側デバイスにより、前記RACHのスケジューリングメッセージを前記UEに送信するステップであり、前記RACHの前記スケジューリングメッセージは、前記RACHの複数の設定情報のうちの1つの識別子情報を含む、ステップと
を含む方法。
【請求項１１】
前記RACHの各設定情報は、以下の情報、すなわち、前記ネットワーク側デバイスにより使用される受信ビームの電力オフセット値、ランダムアクセスプリアンブルのフォーマット情報、前記ネットワーク側デバイスの目標受信電力、前記プリアンブルのフォーマット補正値、前記プリアンブルを送信する回数、及び前記プリアンブルが再送されるときの電力ランピングステップ情報のうちの1つ以上の情報を含む、請求項１０に記載の方法。
【請求項１２】
前記RACHの各設定情報は、前記ネットワーク側デバイスの受信ビームに対応する、請求項１０に記載の方法。
【請求項１３】
前記RACHの各設定情報は、前記UEの送信ビームに対応する、請求項１０に記載の方法。
【請求項１４】
前記RACHの前記複数の設定情報は、ブロードキャストチャネル又はシステム情報を使用することにより、前記ネットワーク側デバイスにより前記UEに送信される、請求項１０乃至１３のうちいずれか１項に記載の方法。
【請求項１５】
前記RACHの前記スケジューリングメッセージは、物理層制御コマンドを使用することにより、前記ネットワーク側デバイスにより前記UEに指示される、請求項１０乃至１３のうちいずれか１項に記載の方法。
【請求項１６】
前記プリアンブルは、S個のサイクリックプレフィックス及びT個の系列を含み、前記プリアンブルの前記フォーマット情報は、サイクリックプレフィックスの数S及び/又は系列の数Tを含み、S及びTは1以上の整数である、請求項１１に記載の方法。
【請求項１７】
前記サイクリックプレフィックスの数S及び前記系列の数Tは、以下のこと、すなわち、TはSの整数倍であることを満たす、請求項１６に記載の方法。
【請求項１８】
前記UEの送信ビームが切り替えられるとき、前記RACHの前記設定情報に含まれる電力ランピング回数は変更されないままである、請求項１０に記載の方法。
【請求項１９】
ユーザ装置UEであって、
ネットワーク側デバイスにより送信されたランダムアクセスチャネルRACHの複数の設定情報を受信するように構成された受信モジュールであり、
前記受信モジュールは、前記ネットワーク側デバイスにより送信された前記RACHのスケジューリングメッセージを受信するように更に構成され、前記RACHの前記スケジューリングメッセージは、前記RACHの前記複数の設定情報のうちの1つの識別子情報を含む、受信モジュールと、
前記RACHの前記スケジューリングメッセージに含まれる前記識別子情報に基づいて、前記RACHの前記複数の設定情報から前記識別子情報に対応する前記RACHの前記設定情報を決定するように構成された決定モジュールと、
前記RACHの前記決定された設定情報に基づいて、前記RACHの送信電力を計算するように構成された計算モジュールと、
前記RACHの前記送信電力に基づいて、ランダムアクセスプリアンブルを前記ネットワーク側デバイスに送信するように構成された送信モジュールと
を含むUE。
【請求項２０】
前記RACHの各設定情報は、以下の情報、すなわち、前記ネットワーク側デバイスにより使用される受信ビームの電力オフセット値、ランダムアクセスプリアンブルのフォーマット情報、前記ネットワーク側デバイスの目標受信電力、前記プリアンブルのフォーマット補正値、前記プリアンブルを送信する回数、及び前記プリアンブルが再送されるときの電力ランピングステップ情報のうちの1つ以上の情報を含む、請求項１９に記載のUE。
【請求項２１】
前記RACHの各設定情報は、前記ネットワーク側デバイスの受信ビームに対応する、請求項１９に記載のUE。
【請求項２２】
前記RACHの各設定情報は、前記UEの送信ビームに対応する、請求項１９に記載のUE。
【請求項２３】
前記RACHの前記複数の設定情報は、ブロードキャストチャネル又はシステム情報を使用することにより、前記ネットワーク側デバイスにより前記UEに送信される、請求項１９乃至２２のうちいずれか１項に記載のUE。
【請求項２４】
前記RACHの前記スケジューリングメッセージは、物理層制御コマンドを使用することにより、前記ネットワーク側デバイスにより前記UEに指示される、請求項１９乃至２２のうちいずれか１項に記載のUE。
【請求項２５】
前記プリアンブルは、S個のサイクリックプレフィックス及びT個の系列を含み、前記プリアンブルの前記フォーマット情報は、サイクリックプレフィックスの数S及び/又は系列の数Tを含み、S及びTは1以上の整数である、請求項１９に記載のUE。
【請求項２６】
前記サイクリックプレフィックスの数S及び前記系列の数Tは、以下のこと、すなわち、TはSの整数倍であることを満たす、請求項２５に記載のUE。
【請求項２７】
前記UEの送信ビームが切り替えられるとき、前記RACHの前記設定情報に含まれる電力ランピング回数は変更されないままである、請求項１９に記載のUE。
【請求項２８】
ネットワーク側デバイスであって、
ランダムアクセスチャネルRACHの複数の設定情報をユーザ装置UEに送信するように構成された送信モジュールを含み、
前記送信モジュールは、前記RACHのスケジューリングメッセージを前記UEに送信するように更に構成され、前記RACHの前記スケジューリングメッセージは、前記RACHの複数の設定情報のうちの1つの識別子情報を含む、ネットワーク側デバイス。
【請求項２９】
前記RACHの各設定情報は、以下の情報、すなわち、前記ネットワーク側デバイスにより使用される受信ビームの電力オフセット値、ランダムアクセスプリアンブルのフォーマット情報、前記ネットワーク側デバイスの受信電力、前記プリアンブルのフォーマット補正値、前記プリアンブルを送信する回数、及び前記プリアンブルが再送されるときの電力ランピングステップ情報のうちの1つ以上の情報を含む、請求項２８に記載のネットワーク側デバイス。
【請求項３０】
前記RACHの各設定情報は、前記ネットワーク側デバイスの受信ビームに対応する、請求項２８に記載のネットワーク側デバイス。
【請求項３１】
前記RACHの各設定情報は、前記UEの送信ビームに対応する、請求項２８に記載のネットワーク側デバイス。
【請求項３２】
前記RACHの前記複数の設定情報は、ブロードキャストチャネル又はシステム情報を使用することにより、前記ネットワーク側デバイスにより前記UEに送信される、請求項２８乃至３１のうちいずれか１項に記載のネットワーク側デバイス。
【請求項３３】
前記RACHの前記スケジューリングメッセージは、物理層制御コマンドを使用することにより、前記ネットワーク側デバイスにより前記UEに指示される、請求項２８乃至３１のうちいずれか１項に記載のネットワーク側デバイス。
【請求項３４】
前記プリアンブルは、S個のサイクリックプレフィックス及びT個の系列を含み、前記プリアンブルの前記フォーマット情報は、サイクリックプレフィックスの数S及び/又は系列の数Tを含み、S及びTは1以上の整数である、請求項２９に記載のネットワーク側デバイス。
【請求項３５】
前記サイクリックプレフィックスの数S及び前記系列の数Tは、以下のこと、すなわち、TはSの整数倍であることを満たす、請求項３４に記載のネットワーク側デバイス。
【請求項３６】
前記UEの送信ビームが切り替えられるとき、前記RACHの前記設定情報に含まれる電力ランピング回数は変更されないままである、請求項２８に記載のネットワーク側デバイス。
【請求項３７】
アップリンク電力制御方法であって、
ユーザ装置UEにより、ネットワーク側デバイスにより設定された電力オフセット情報を受信するステップであり、前記電力オフセット情報は、前記UEの送信電力を調整するために使用される、ステップと、
前記UEにより、前記電力オフセット情報に基づいてアップリンクチャネル又はアップリンク信号の送信電力を決定するステップと
を含む方法。
【請求項３８】
UEにより、ネットワーク側デバイスにより設定された電力オフセット情報を受信するステップは、
前記UEにより、前記ネットワーク側デバイスにより送信されたN個の電力オフセット項を受信するステップであり、Nは1以上の正の整数である、ステップと、
前記UEにより、前記ネットワーク側デバイスにより送信された前記N個の電力オフセット項のうちのいずれか1つのインデックスを受信するステップと
を含み、
前記UEにより、前記電力オフセット情報に基づいてアップリンクチャネル又はアップリンク信号の送信電力を決定するステップは、
前記UEにより、前記電力オフセット項の前記受信したインデックスに基づいて、前記N個の電力オフセット項から前記インデックスに対応する電力オフセット項を決定するステップと、
前記UEにより、前記決定された電力オフセット項に基づいて、前記アップリンクチャネル又は前記アップリンク信号の前記送信電力を決定するステップと
を含む、請求項３７に記載の方法。
【請求項３９】
前記N個の電力オフセット項は、高レイヤシグナリングを使用することにより、前記ネットワーク側デバイスにより前記UEに送信され、
前記UEにより受信される前記電力オフセット項の前記インデックスは、ダウンリンク制御シグナリングを使用することにより、前記ネットワーク側デバイスにより前記UEに送信される、請求項３８に記載の方法。
【請求項４０】
前記UEにより、前記ネットワーク側デバイスにより送信された前記N個の電力オフセット項のうちのいずれか1つのインデックスを受信するステップは、
前記UEにより、前記ネットワーク側デバイスにより送信されたTPCコマンドフィールドを受信するステップであり、前記TPCコマンドフィールドは、前記電力オフセット項のインデックスに対応するか、或いは前記TPCコマンドフィールドは、前記電力オフセット項のインデックス及びTPCコマンドに対応する、ステップと、
前記UEにより、前記TPCコマンドフィールドに基づいて、前記N個の電力オフセット項から前記TPCコマンドフィールドに対応する電力オフセット項を決定するステップと
を含む、請求項３９に記載の方法。
【請求項４１】
前記ダウンリンク制御シグナリングのフォーマットは、アップリンクデータ送信に使用されるダウンリンク制御情報DCIフォーマットのいずれか1つである、請求項３９又は４０に記載の方法。
【請求項４２】
UEにより、ネットワーク側デバイスにより設定された電力オフセット情報を受信するステップは、
前記UEにより、前記ネットワーク側デバイスにより送信された電力オフセット項を受信するステップを含み、
前記UEにより、前記電力オフセット情報に基づいてアップリンクチャネル又はアップリンク信号の送信電力を決定するステップは、
前記UEにより、前記受信した電力オフセット項に基づいて前記アップリンクチャネル又は前記アップリンク信号の前記送信電力を決定するステップを含む、請求項３７に記載の方法。
【請求項４３】
前記UEにより受信される前記電力オフセット項は、高レイヤシグナリングを使用することにより、前記ネットワーク側デバイスにより前記UEに送信される、請求項４２に記載の方法。
【請求項４４】
前記アップリンクチャネルはアップリンクトラフィックチャネル又はアップリンク制御チャネルであり、前記アップリンク信号はアップリンク参照信号である、請求項３７乃至４３のうちいずれか１項に記載の方法。
【請求項４５】
アップリンク電力制御方法であって、
ネットワーク側デバイスにより、ユーザ装置UEのための電力オフセット情報を設定するステップであり、前記電力オフセット情報は、前記UEの送信電力を調整するために使用される、ステップを含む方法。
【請求項４６】
ネットワーク側デバイスにより、ユーザ装置UEのための電力オフセット情報を設定するステップは、
前記ネットワーク側デバイスにより、N個の電力オフセット項を前記UEに送信するステップであり、Nは1以上の正の整数である、ステップと、
前記ネットワーク側デバイスにより、前記N個の電力オフセット項のいずれか1つのインデックスを前記UEに送信するステップと
を含む、請求項４５に記載の方法。
【請求項４７】
前記ネットワーク側デバイスは、高レイヤシグナリングを使用することにより、前記N個の電力オフセット項を前記UEに送信し、
前記ネットワーク側デバイスは、ダウンリンク制御シグナリングを使用することにより、前記電力オフセット項のインデックスを前記UEに送信する、請求項４６に記載の方法。
【請求項４８】
前記ネットワーク側デバイスにより、前記N個の電力オフセット項のいずれか1つのインデックスを前記UEに送信するステップは、
前記ネットワーク側デバイスにより、TPCコマンドフィールドを前記UEに送信するステップであり、前記TPCコマンドフィールドは、前記電力オフセット項のインデックスに対応するか、或いは電力コマンドワードフィールドは、前記電力オフセット項及びTPCコマンドに対応する、ステップを含む、請求項４７に記載の方法。
【請求項４９】
前記ダウンリンク制御シグナリングのフォーマットは、アップリンクデータ送信に使用されるダウンリンク制御情報DCIフォーマットのいずれか1つである、請求項４７又は４８に記載の方法。
【請求項５０】
ネットワーク側デバイスにより、ユーザ装置UEのための電力オフセット情報を設定するステップは、
前記ネットワーク側デバイスにより、電力オフセット項を前記UEに送信するステップを含む、請求項４５に記載の方法。
【請求項５１】
前記ネットワーク側デバイスは、高レイヤシグナリングを使用することにより、前記電力オフセット項を前記UEに送信する、請求項４５に記載の方法。
【請求項５２】
ユーザ装置UEであって、
ネットワーク側デバイスにより設定された電力オフセット情報を受信するように構成された受信モジュールであり、前記電力オフセット情報は、前記UEの送信電力を調整するために使用される、受信モジュールと、
前記電力オフセット情報に基づいてアップリンクチャネル又はアップリンク信号の送信電力を決定するように構成された決定モジュールと
を含むUE。
【請求項５３】
前記受信モジュールは、
前記ネットワーク側デバイスにより送信されたN個の電力オフセット項を受信し、Nは1以上の正の整数であり、
前記ネットワーク側デバイスにより送信された前記N個の電力オフセット項のうちのいずれか1つのインデックスを受信する
ように具体的に構成され、
前記決定モジュールは、
前記電力オフセット項の前記受信したインデックスに基づいて、前記N個の電力オフセット項から前記インデックスに対応する電力オフセット項を決定し、
前記決定された電力オフセット項に基づいて、前記アップリンクチャネル又は前記アップリンク信号の前記送信電力を決定する
ように具体的に構成される、請求項５２に記載のUE。
【請求項５４】
前記N個の電力オフセット項は、高レイヤシグナリングを使用することにより、前記ネットワーク側デバイスにより前記UEに送信され、
前記UEにより受信される前記電力オフセット項の前記インデックスは、ダウンリンク制御シグナリングを使用することにより、前記ネットワーク側デバイスにより前記UEに送信される、請求項５３に記載のUE。
【請求項５５】
前記受信モジュールは、前記ネットワーク側デバイスにより送信されたTPCコマンドフィールドを受信し、前記TPCコマンドフィールドは、前記電力オフセット項のインデックスに対応するか、或いは前記TPCコマンドフィールドは、前記電力オフセット項のインデックス及びTPCコマンドに対応し、
前記TPCコマンドフィールドに基づいて、前記N個の電力オフセット項から前記TPCコマンドフィールドに対応する電力オフセット項を決定する
ように具体的に構成される、請求項５４に記載のUE。
【請求項５６】
前記ダウンリンク制御シグナリングのフォーマットは、アップリンクデータ送信に使用されるダウンリンク制御情報DCIフォーマットのいずれか1つである、請求項５４又は５５に記載のUE。
【請求項５７】
前記受信モジュールは、前記ネットワーク側デバイスにより送信された電力オフセット項を受信するように具体的に構成され、
前記決定モジュールは、前記受信した電力オフセット項に基づいて前記アップリンクチャネル又は前記アップリンク信号の前記送信電力を決定するように具体的に構成される、請求項５２に記載のUE。
【請求項５８】
前記受信モジュールにより受信される前記電力オフセット項は、高レイヤシグナリングを使用することにより、前記ネットワーク側デバイスにより前記ユーザ装置UEに送信される、請求項５７に記載のUE。
【請求項５９】
前記アップリンクチャネルはアップリンクトラフィックチャネル又はアップリンク制御チャネルであり、前記アップリンク信号はアップリンク参照信号である、請求項５２乃至５８のうちいずれか１項に記載のUE。
【請求項６０】
ネットワーク側デバイスであって、
ユーザ装置UEのための電力オフセット情報を設定するように構成された設定モジュールであり、前記電力オフセット情報は、前記UEの送信電力を調整するために使用される、設定モジュールを含むデバイス。
【請求項６１】
前記設定モジュールは、
N個の電力オフセット項を前記UEに送信し、Nは1以上の正の整数であり、
前記N個の電力オフセット項のいずれか1つのインデックスを前記UEに送信する、ように具体的に構成される、請求項６０に記載のデバイス。
【請求項６２】
前記ネットワーク側デバイスは、高レイヤシグナリングを使用することにより、前記N個の電力オフセット項を前記UEに送信し、
前記ネットワーク側デバイスは、ダウンリンク制御シグナリングを使用することにより、前記電力オフセット項のインデックスを前記UEに送信する、請求項６１に記載のデバイス。
【請求項６３】
前記設定モジュールは、TPCコマンドフィールドを前記UEに送信するように具体的に構成され、前記TPCコマンドフィールドは、前記電力オフセット項のインデックスに対応するか、或いは電力コマンドワードフィールドは、前記電力オフセット項及びTPCコマンドに対応する、請求項６２に記載のデバイス。
【請求項６４】
前記ダウンリンク制御シグナリングのフォーマットは、アップリンクデータ送信に使用されるダウンリンク制御情報DCIフォーマットのいずれか1つである、請求項６２又は６３に記載のデバイス。
【請求項６５】
前記設定モジュールは、電力オフセット項を前記UEに送信するように具体的に構成される、請求項６０に記載のデバイス。
【請求項６６】
前記ネットワーク側デバイスは、高レイヤシグナリングを使用することにより、前記電力オフセット項をUEに送信する、請求項６２に記載のデバイス。
【発明の詳細な説明】
【技術分野】
【０００１】
［関連出願への相互参照］
この出願は、2016年9月30日に中国特許庁に提出された「UPLINK  POWER  CONTROL  METHOD  AND  APPARATUS」と題する中国特許出願第201610878908.1号及び2017年3月10日に中国特許庁に提出された「UPLINK  POWER  CONTROL  METHOD  AND  APPARATUS」と題する中国特許出願第201710142272.9号の優先権を主張するものであり、これらの全内容を参照により援用する。
［技術分野］
ランダムアクセスチャネル(Random  Access  Channel,  略称RACH)は、電力設定のために開ループ電力制御方式を使用する。RACHを使用することによりUEにより送信されるランダムアクセスプリアンブル(preamble)を受信するとき、基地局はビームフォーミング技術を使用してもよい。さらに、基地局は、ユーザにより送信された1つ以上のpreambleを受信するために、異なる受信ビームを使用してもよい。
【０００２】
異なる受信ビームは異なるビームフォーミング利得に対応するので、異なる受信ビームは、基地局の異なる目標受信電力及びユーザにより使用される異なるプリアンブルフォーマットに対応してもよい。UEがpreambleを送信するとき、基地局は、preambleを受信した品質に基づいて、受信ビームに対して適応スイッチングを実行してもよく、例えば、基地局は、受信ビーム1から受信ビーム2に切り替えられる。例えば、基地局の送信ビーム及び受信ビームの相反性が存在しないとき、UEにより送信されたpreambleを受信するとき、基地局は、preambleを受信するための最適な受信ビームを選択するために、複数の候補受信ビームをポーリングする必要がある。この場合、異なる受信ビームは、preambleの異なる電力制御パラメータに対応してもよい。
【０００３】
しかし、既存のRACH電力制御機構は、通常では、固定の無指向性アンテナ送信又は固定の受信ビーム送信に基づく。受信ビームが急速に変化するシナリオでは、既存の電力制御機構が依然として使用されている場合、RACHの電力制御は十分に正確ではなく、それにより、アップリンクRACHのアクセス成功率に影響を及ぼす。
【背景技術】
【０００４】
ランダムアクセスチャネル(Random  Access  Channel,  略称RACH)は、電力設定のために開ループ電力制御方式を使用する。RACHを使用することによりUEにより送信されるランダムアクセスプリアンブル(preamble)を受信するとき、基地局はビームフォーミング技術を使用してもよい。さらに、基地局は、ユーザにより送信された1つ以上のpreambleを受信するために、異なる受信ビームを使用してもよい。
【０００５】
異なる受信ビームは異なるビームフォーミング利得に対応するので、異なる受信ビームは、基地局の異なる目標受信電力及びユーザにより使用される異なるプリアンブルフォーマットに対応してもよい。UEがpreambleを送信するとき、基地局は、preambleを受信した品質に基づいて、受信ビームに対して適応スイッチングを実行してもよく、例えば、基地局は、受信ビーム1から受信ビーム2に切り替えられる。例えば、基地局の送信ビーム及び受信ビームの相反性が存在しないとき、UEにより送信されたpreambleを受信するとき、基地局は、preambleを受信するための最適な受信ビームを選択するために、複数の候補受信ビームをポーリングする必要がある。この場合、異なる受信ビームは、preambleの異なる電力制御パラメータに対応してもよい。
【０００６】
しかし、既存のRACH電力制御機構は、通常では、固定の無指向性アンテナ送信又は固定の受信ビーム送信に基づく。受信ビームが急速に変化するシナリオでは、既存の電力制御機構が依然として使用されている場合、RACHの電力制御は十分に正確ではなく、それにより、アップリンクRACHのアクセス成功率に影響を及ぼす。
【発明の概要】
【０００７】
この出願は、ネットワーク側デバイスが、RACHの送信電力を正確に制御してアップリンクRACHのアクセス成功率を改善するために、異なる受信ビーム又は送信ビームのビームフォーミング利得における変化に基づいて、RACHの送信電力を動的に調整できるような、アップリンク電力制御方法及び装置を提供する。
【０００８】
この出願の第1の態様はアップリンク電力制御方法を提供し、UEにより、ネットワーク側デバイスにより送信されたRACHの複数の設定情報を受信するステップと、ネットワーク側デバイスにより送信されたRACHのスケジューリングメッセージを受信するステップであり、RACHのスケジューリングメッセージは、RACHの複数の設定情報のうちの1つの識別子情報を含む、ステップと、UEにより、RACHのスケジューリングメッセージに含まれる識別子情報に基づいて、RACHの複数の設定情報から識別子情報に対応するRACHの設定情報を決定するステップと、RACHの決定された設定情報に基づいて、RACHの送信電力を計算し、RACHの送信電力に基づいて、ランダムアクセスプリアンブルをネットワーク側デバイスに送信するステップとを含む。RACHの各設定情報は、ネットワーク側デバイスの受信ビーム又はUEの送信ビームに対応し、それにより、ネットワーク側デバイスは、RACHの送信電力を正確に制御してアップリンクRACHのアクセス成功率を改善するために、異なる受信ビーム又は送信ビームのビームフォーミング利得における変化に基づいて、RACHの送信電力を動的に調整でき、それにより、データ送信電力効率及びデータ送信性能の最大化を実現する。
【０００９】
この出願の第2の態様はアップリンク電力制御方法を提供し、ネットワーク側デバイスにより、ランダムアクセスチャネルRACHの複数の設定情報をUEに送信するステップと、RACHのスケジューリングメッセージをUEに送信するステップであり、RACHのスケジューリングメッセージは、RACHの複数の設定情報のうちの1つの識別子情報を含む、ステップとを含む。このように、UEは、RACHのスケジューリングメッセージに含まれる識別子情報に基づいて、RACHの複数の設定情報から、識別子情報に対応するRACHの設定情報を決定し、RACHの決定された設定情報に基づいて、RACHの送信電力を計算する。
【００１０】
この出願の第3の態様はUEを提供し、
ネットワーク側デバイスにより送信されたランダムアクセスチャネルRACHの複数の設定情報を受信するように構成された受信モジュールであり、
受信モジュールは、ネットワーク側デバイスにより送信されたRACHのスケジューリングメッセージを受信するように更に構成され、RACHのスケジューリングメッセージは、RACHの複数の設定情報のうちの1つの識別子情報を含む、受信モジュールと、
RACHのスケジューリングメッセージに含まれる識別子情報に基づいて、RACHの複数の設定情報から識別子情報に対応するRACHの設定情報を決定するように構成された決定モジュールと、
RACHの決定された設定情報に基づいて、RACHの送信電力を計算するように構成された計算モジュールと、
RACHの送信電力に基づいて、ランダムアクセスプリアンブルをネットワーク側デバイスに送信するように構成された送信モジュールと
を含む。
【００１１】
この出願の第4の態様はネットワーク側デバイスを提供し、
ランダムアクセスチャネルRACHの複数の設定情報をUEに送信するように構成された送信モジュールを含み、
送信モジュールは、RACHのスケジューリングメッセージをUEに送信するように更に構成され、RACHのスケジューリングメッセージは、RACHの複数の設定情報のうちの1つの識別子情報を含む。
【００１２】
この出願の第1の態様〜第4の態様において、RACHの各設定情報は、以下の情報、すなわち、ネットワーク側デバイスにより使用される受信ビームの電力オフセット値、ランダムアクセスプリアンブルのフォーマット情報、ネットワーク側デバイスの受信電力、プリアンブルのフォーマット補正値、プリアンブルを送信する回数、及びプリアンブルが再送されるときの電力ランピングステップ情報のうちの1つ以上の情報を含む。
【００１３】
この出願の第1の態様〜第4の態様において、RACHの各設定情報は、ネットワーク側デバイスの受信ビームに対応する。或いは、RACHの各設定情報は、UEの送信ビームに対応する。このように、ネットワーク側デバイスは、UEの異なる送信ビームのビームフォーミング利得における変化又は異なる受信ビームのビームフォーミング利得における変化に基づいて、RACHの送信電力を動的に調整でき、それにより、データ送信電力効率及びデータ送信性能の最大化を実現する。
【００１４】
この出願の第1の態様〜第4の態様において、RACHの複数の設定情報は、ブロードキャストチャネル又はシステム情報を使用することにより、ネットワーク側デバイスによりUEに送信される。
【００１５】
この出願の第1の態様〜第4の態様において、RACHのスケジューリングメッセージは、物理層制御コマンドを使用することにより、ネットワーク側デバイスによりUEに指示される。
【００１６】
この出願の第1の態様〜第4の態様において、プリアンブルは、S個のサイクリックプレフィックス及びT個の系列を含み、プリアンブルのフォーマット情報は、サイクリックプレフィックスの数S及び/又は系列の数Tを含み、S及びTは1以上の整数である。
【００１７】
この出願の第1の態様〜第4の態様において、サイクリックプレフィックスの数S及び系列の数Tは、以下のこと、すなわち、TはSの整数倍であることを満たす。
【００１８】
この出願の第1の態様〜第4の態様において、UEの送信ビームが切り替えられるとき、RACHの設定情報に含まれる電力ランピング回数は変更されないままである。
【００１９】
この出願の第5の態様はUEを提供する。UEは、プロセッサと、メモリと、通信インターフェースとを含む。メモリは、命令を記憶するように構成され、通信インターフェースは、他のデバイスと通信するように構成され、プロセッサは、メモリに記憶された命令を実行するように構成され、それにより、UEは、この出願の第1の態様で提供される方法を実行する。
【００２０】
この出願の第6の態様はネットワーク側デバイスを提供する。ネットワーク側デバイスは、プロセッサと、メモリと、通信インターフェースとを含む。メモリは、命令を記憶するように構成され、通信インターフェースは、他のデバイスと通信するように構成され、プロセッサは、メモリに記憶された命令を実行するように構成され、それにより、ネットワーク側デバイスは、この出願の第2の態様で提供される方法を実行する。
【００２１】
この出願の第7の態様はアップリンク電力制御方法を提供し、UEにより、ネットワーク側デバイスにより設定された電力オフセット情報を受信するステップであり、電力オフセット情報は、UEの送信電力を調整するために使用される、ステップと、UEにより、電力オフセット情報に基づいてアップリンクチャネル又はアップリンク信号の送信電力を決定するステップとを含む。ネットワーク側デバイスは、UEのための電力オフセット情報を設定する。電力オフセット情報は、UEの送信電力を調整するために使用される。電力オフセット情報は、UE又はネットワーク側デバイスのビームフォーミング利得における変化に基づいて、ネットワーク側デバイスにより決定される。UEは、ネットワークデバイスにより送信された電力オフセット情報を受信し、電力オフセット情報に基づいてアップリンクチャネル又はアップリンク信号の送信電力を決定する。アップリンクチャネル又はアップリンクチャネルの送信電力が決定されるときに、ビームフォーミング利得における変化により引き起こされる電力オフセットが考慮されるので、計算を通じて取得されたアップリンク送信電力は、より正確である。
【００２２】
任意選択で、UEにより、ネットワーク側デバイスにより設定された電力オフセット情報を受信するステップは、
UEにより、ネットワーク側デバイスにより送信されたN個の電力オフセット項を受信するステップであり、Nは1以上の正の整数である、ステップと、
UEにより、ネットワーク側デバイスにより送信されたN個の電力オフセット項のうちのいずれか1つのインデックスを受信するステップと
を含み、
UEにより、電力オフセット情報に基づいてアップリンクチャネル又はアップリンク信号の送信電力を決定するステップは、
UEにより、電力オフセット項の受信したインデックスに基づいて、N個の電力オフセット項からインデックスに対応する電力オフセット項を決定するステップと、
UEにより、決定された電力オフセット項に基づいて、アップリンクチャネル又はアップリンク信号の送信電力を決定するステップと
を含む。
【００２３】
任意選択で、N個の電力オフセット項は、高レイヤシグナリングを使用することにより、ネットワーク側デバイスによりUEに送信され、UEにより受信される電力オフセット項のインデックスは、ダウンリンク制御シグナリングを使用することにより、ネットワーク側デバイスによりUEに送信される。
【００２４】
対応して、UEにより、ネットワーク側デバイスにより送信されたN個の電力オフセット項のうちのいずれか1つのインデックスを受信するステップは、
UEにより、ネットワーク側デバイスにより送信されたTPCコマンドフィールドを受信するステップであり、TPCコマンドフィールドは、電力オフセット項のインデックスに対応するか、或いはTPCコマンドフィールドは、電力オフセット項のインデックス及びTPCコマンドに対応する、ステップと、
UEにより、TPCコマンドフィールドに基づいて、N個の電力オフセット項からTPCコマンドフィールドに対応する電力オフセット項を決定するステップと
を含む。
【００２５】
任意選択で、ダウンリンク制御シグナリングのフォーマットは、アップリンクデータ送信に使用されるダウンリンク制御情報DCIフォーマットのいずれか1つである。
【００２６】
任意選択で、UEにより、ネットワーク側デバイスにより設定された電力オフセット情報を受信するステップは、
UEにより、ネットワーク側デバイスにより送信された電力オフセット項を受信するステップを含み、
UEにより、電力オフセット情報に基づいてアップリンクチャネル又はアップリンク信号の送信電力を決定するステップは、
UEにより、受信した電力オフセット項に基づいてアップリンクチャネル又はアップリンク信号の送信電力を決定するステップを含む。
【００２７】
任意選択で、UEにより受信される電力オフセット項は、高レイヤシグナリングを使用することにより、ネットワーク側デバイスによりUEに送信される。
【００２８】
任意選択で、アップリンクチャネルはアップリンクトラフィックチャネル又はアップリンク制御チャネルであり、アップリンク信号はアップリンク参照信号である。
【００２９】
この出願の第8の態様はアップリンク電力制御方法を提供し、
ネットワーク側デバイスにより、UEのための電力オフセット情報を設定するステップであり、電力オフセット情報は、UEの送信電力を調整するために使用される、ステップを含む。
【００３０】
任意選択で、ネットワーク側デバイスにより、UEのための電力オフセット情報を設定するステップは、
ネットワーク側デバイスにより、N個の電力オフセット項をUEに送信するステップであり、Nは1以上の正の整数である、ステップと、
ネットワーク側デバイスにより、N個の電力オフセット項のいずれか1つのインデックスをUEに送信するステップと
を含む。
【００３１】
任意選択で、ネットワーク側デバイスは、高レイヤシグナリングを使用することにより、N個の電力オフセット項をUEに送信し、ネットワーク側デバイスは、ダウンリンク制御シグナリングを使用することにより、電力オフセット項のインデックスをUEに送信する。
【００３２】
対応して、ネットワーク側デバイスにより、N個の電力オフセット項のいずれか1つのインデックスをUEに送信するステップは、
ネットワーク側デバイスにより、TPCコマンドフィールドをUEに送信するステップであり、TPCコマンドフィールドは、電力オフセット項のインデックスに対応するか、或いは電力コマンドワードフィールドは、電力オフセット項及びTPCコマンドに対応する、ステップを含む。
【００３３】
任意選択で、ダウンリンク制御シグナリングのフォーマットは、アップリンクデータ送信に使用されるダウンリンク制御情報DCIフォーマットのいずれか1つである。
【００３４】
任意選択で、ネットワーク側デバイスにより、ユーザ装置UEのための電力オフセット情報を設定するステップは、
ネットワーク側デバイスにより、電力オフセット項をUEに送信するステップを含む。
【００３５】
任意選択で、ネットワーク側デバイスは、高レイヤシグナリングを使用することにより、電力オフセット項をUEに送信する。
【００３６】
この出願の第9の態様は、受信モジュール及び決定モジュールを含むUEを提供する。受信モジュールは、ネットワーク側デバイスにより設定された電力オフセット情報を受信するように構成され、電力オフセット情報は、UEの送信電力を調整するために使用される。決定モジュールは、電力オフセット情報に基づいてアップリンクチャネル又はアップリンク信号の送信電力を決定するように構成される。
【００３７】
任意選択で、受信モジュールは、ネットワーク側デバイスにより送信されたN個の電力オフセット項を受信し、Nは1以上の正の整数であり、ネットワーク側デバイスにより送信されたN個の電力オフセット項のうちのいずれか1つのインデックスを受信する、ように具体的に構成される。対応して、決定モジュールは、電力オフセット項の受信したインデックスに基づいて、N個の電力オフセット項からインデックスに対応する電力オフセット項を決定し、決定された電力オフセット項に基づいて、アップリンクチャネル又はアップリンク信号の送信電力を決定するように具体的に構成される。
【００３８】
任意選択で、N個の電力オフセット項は、高レイヤシグナリングを使用することにより、ネットワーク側デバイスによりUEに送信され、UEにより受信される電力オフセット項のインデックスは、ダウンリンク制御シグナリングを使用することにより、ネットワーク側デバイスによりUEに送信される。
【００３９】
任意選択で、受信モジュールは、ネットワーク側デバイスにより送信されたTPCコマンドフィールドを受信し、TPCコマンドフィールドは、電力オフセット項のインデックスに対応するか、或いはTPCコマンドフィールドは、電力オフセット項のインデックス及びTPCコマンドに対応し、TPCコマンドフィールドに基づいて、N個の電力オフセット項からTPCコマンドフィールドに対応する電力オフセット項を決定する、ように具体的に構成される。
【００４０】
任意選択で、ダウンリンク制御シグナリングのフォーマットは、アップリンクデータ送信に使用されるダウンリンク制御情報DCIフォーマットのいずれか1つである。
【００４１】
任意選択で、受信モジュールは、ネットワーク側デバイスにより送信された電力オフセット項を受信するように具体的に構成され、対応して、決定モジュールは、受信した電力オフセット項に基づいてアップリンクチャネル又はアップリンク信号の送信電力を決定するように具体的に構成される。
【００４２】
任意選択で、受信モジュールにより受信される電力オフセット項は、高レイヤシグナリングを使用することにより、ネットワーク側デバイスによりユーザ装置UEに送信される。
【００４３】
任意選択で、アップリンクチャネルはアップリンクトラフィックチャネル又はアップリンク制御チャネルであり、アップリンク信号はアップリンク参照信号である。
【００４４】
この出願の第10の態様は、設定モジュールを含むネットワーク側デバイスを提供する。設定モジュールは、UEのための電力オフセット情報を設定するように構成され、電力オフセット情報は、UEの送信電力を調整するために使用される。
【００４５】
任意選択で、設定モジュールは、N個の電力オフセット項をUEに送信し、Nは1以上の正の整数であり、N個の電力オフセット項のいずれか1つのインデックスをUEに送信する、ように具体的に構成される。
【００４６】
任意選択で、ネットワーク側デバイスは、高レイヤシグナリングを使用することにより、N個の電力オフセット項をUEに送信し、ネットワーク側デバイスは、ダウンリンク制御シグナリングを使用することにより、電力オフセット項のインデックスをUEに送信する。
【００４７】
任意選択で、設定モジュールは、TPCコマンドフィールドをUEに送信するように具体的に構成され、TPCコマンドフィールドは、電力オフセット項のインデックスに対応するか、或いは電力コマンドワードフィールドは、電力オフセット項及びTPCコマンドに対応する。
【００４８】
任意選択で、ダウンリンク制御シグナリングのフォーマットは、アップリンクデータ送信に使用されるダウンリンク制御情報DCIフォーマットのいずれか1つである。
【００４９】
任意選択で、設定モジュールは、電力オフセット項をUEに送信するように具体的に構成される。
【００５０】
任意選択で、ネットワーク側デバイスは、高レイヤシグナリングを使用することにより、電力オフセット項をUEに送信する。
【００５１】
本発明の第11の態様はUEを提供する。UEは、プロセッサと、メモリと、通信インターフェースとを含む。メモリは、命令を記憶するように構成され、通信インターフェースは、他のデバイスと通信するように構成され、プロセッサは、メモリに記憶された命令を実行するように構成され、それにより、UEは、この出願の第1の態様で提供される方法を実行する。
【００５２】
この出願の第12の態様はネットワーク側デバイスを提供する。ネットワーク側デバイスは、プロセッサと、メモリと、通信インターフェースとを含む。メモリは、命令を記憶するように構成され、通信インターフェースは、他のデバイスと通信するように構成され、プロセッサは、メモリに記憶された命令を実行するように構成され、それにより、ネットワーク側デバイスは、この出願の第2の態様で提供される方法を実行する。
【００５３】
この出願において提供されるアップリンク電力制御方法及び装置によれば、ネットワーク側デバイスは、RACHの複数の設定情報をUEに送信し、RACHのスケジューリングメッセージを使用することにより、UEにより使用されるRACHの設定情報に対応する識別子情報を指示する。UEは、識別子情報に対応するRACHの設定情報に基づいて、RACHの送信電力を計算し、RACHの送信電力に基づいて、ランダムアクセスプリアンブルをネットワーク側デバイスに送信する。RACHの各設定情報は、ネットワーク側デバイスの受信ビーム又はUEの送信ビームに対応し、それにより、ネットワーク側デバイスは、RACHの送信電力を正確に制御してアップリンクRACHのアクセス成功率を改善するために、異なる受信ビーム又は送信ビームのビームフォーミング利得における変化に基づいて、RACHの送信電力を動的に調整でき、それにより、データ送信電力効率及びデータ送信性能の最大化を実現する。
【図面の簡単な説明】
【００５４】
【図１】この出願に適用可能な通信システムの概略アーキテクチャ図である。
【図２】実施形態1によるアップリンク電力制御方法のフローチャートである。
【図３】プリアンブルフォーマットの概略図である。
【図４】実施形態2によるUEの概略構造図である。
【図５】実施形態4によるUEの概略構造図である。
【図６】実施形態5によるネットワーク側デバイスの概略構造図である。
【図７】実施形態6によるアップリンク電力制御方法のフローチャートである。
【図８】実施形態7によるUEの概略構造図である。
【図９】実施形態9によるUEの概略構造図である。
【図１０】実施形態10によるネットワーク側デバイスの概略構造図である。
【発明を実施するための形態】
【００５５】
この出願は、ランダムアクセスチャネル電力制御方法を提供する。当該方法は、既存の通信システムに適用されてもよい。図１は、この出願に適用可能な通信システムの概略アーキテクチャ図である。図１に示すように、通信システムは、基地局及び端末デバイスを含む。1つ以上の端末デバイスが存在してもよい。通信システムは、グローバル・システム・フォー・モバイル・コミュニケーションズ(Global  System  for  Mobile  Communications,  略称GSM)、符号分割多元接続(Code  Division  Multiple  Access,  略称CDMA)システム、広帯域符号分割多元接続(Wideband  Code  Division  Multiple  Access,  WCDMA)システム、ロングタームエボリューション(Long  Term  Evolution,  略称LTE)システム又は第5世代(5th  Generation,  略称5G)移動通信システムでもよい。対応して、基地局は、GSMシステム又はCDMAシステムにおける基地送受信局(Base  Transceiver  Station,  略称BTS)でもよく、或いはWCDMAシステムにおけるノードB(NodeB,  略称NB)でもよく、或いはLTEシステムにおける進化型NodeB(evolved  NodeB,  略称eNB)、アクセスポイント(access  point,  AP)又は中継ノードでもよく、或いは5Gシステムにおける基地局等でもよい。これは、ここでは限定されない。
【００５６】
端末デバイスは、無線端末でもよい。無線端末は、音声及び/又はデータ接続性をユーザに提供するデバイス、無線接続機能を有するハンドヘルドデバイス、又は無線モデムに接続された他の処理デバイスを示してもよい。無線端末は、無線アクセスネットワーク(Radio  Access  Network,  RAN)を使用することにより、少なくとも1つのコアネットワークと通信してもよい。無線端末は、移動電話(又は「セルラ」電話と呼ばれる)又は移動端末を有するコンピュータのような移動端末でもよく、例えば、無線アクセスネットワークと音声及び/又はデータを交換するポータブル型、ポケットサイズ、ハンドヘルド型、コンピュータ内蔵型又は車載型移動装置でもよい。無線端末はまた、加入者ユニット(Subscriber  Unit)、加入者局(Subscriber  Station)、移動局(Mobile  Station)、移動コンソール(Mobile  Station)、遠隔局(Remote  Station)、アクセスポイント(Access  Point)、遠隔端末(Remote  Terminal)、アクセス端末(Access  Terminal)、ユーザ端末(User  Terminal)、ユーザ装置(User  Equipment,  略称UE)又はユーザエージェント(User  Agent)とも呼ばれてもよい。これは、ここでは限定されない。
【００５７】
この出願の方法は、ランダムアクセスプロセスに具体的に適用される。ランダムアクセスプロセスは、主に以下のステップを含む。UEは基地局によりブロードキャストされたシステムメッセージを受信し、システムメッセージからランダムアクセスチャネル(Random  Access  Channel,  略称RACH)の設定情報を取得する。UEはRACHの設定情報に基づいてランダムアクセスプリアンブル(preamble)を基地局に送信し、基地局はランダムアクセス応答メッセージをUEに返信する。UEは、UEがpreambleを送信する前に毎回、ランダムプリアンブルの送信電力を決定する。preambleの送信電力はまた、RACHの送信電力とも呼ばれる。既存のRACHの送信電力は、以下の式(1)を使用することにより計算されてもよい。
P=min{Pmax,PL+Po,pre+deltapre+(Npre-1)dPrampup}      (1)
ここで、PはRACHの送信電力を表し、PmaxはUEの最大送信電力を表し、Po,preは基地局の目標受信電力を表し、PLはダウンリンクブロードキャスト情報に基づく推定を通じてUEにより取得されたパスロス値であり、deltapreはpreambleのフォーマット補正値を表し、異なるプリアンブルフォーマットにより引き起こされるRACHの送信電力の調整量を表し、Npreはpreambleを送信する回数を表し、dPrampupはpreambleが再送されるときの電力ランピングステップを表す。基地局の目標受信電力は、preambleを受信するために基地局により使用される受信電力であり、Po,preのダイナミックレンジは[-120,-90]dBmであり、分解能は2dBであり、dPrampupの可能な値は[0,2,4,6]dBであり、Npreはpreambleを送信する最大回数である。UEは、アクセス段階においてpreambleを送信することを複数回試みる。UEによりpreambleを送信する回数は、Npreより大きくすることはできない。UEがpreambleを再送するたびに、UEはRACHの送信電力を継続的に増加させる。UEがpreambleを再送するたびに、UEは、ステップとしてdPrampupを使用することにより、RACHの送信電力を増加させる。
【００５８】
UEにより送信されたpreambleを受信するとき、基地局はビームフォーミング技術を使用する。さらに、基地局は、preambleを受信するために異なる受信ビームを使用してもよい。異なる受信ビームは異なるビームフォーミング利得に対応し、異なる受信ビームは異なる電力制御パラメータセットを使用する。或いは、preambleを送信するとき、UEは異なる送信ビームを使用することによりpreambleを送信してもよい。異なる送信ビームは、異なるビームフォーミング利得に対応する。しかし、既存の電力制御機構は、無指向性送信又は固定の受信ビーム送信に基づく。受信ビームが変化するシナリオでは、既存の電力制御機構が依然として使用される場合、RACHの送信電力は十分に正確ではない。
【００５９】
従来技術の問題を解決するために、この出願はランダムアクセスチャネル電力制御方法を提供する。図２は、実施形態1によるアップリンク電力制御方法のフローチャートである。図２に示すように、この実施形態の方法は以下のステップを含んでもよい。
【００６０】
ステップ101:ネットワーク側デバイスは、ランダムアクセスチャネル(Random  Access  Channel,  略称RACH)の複数の設定情報をUEに送信する。
【００６１】
対応して、UEは、ネットワーク側デバイスにより送信されたRACHの複数の設定情報を受信する。RACHの各設定情報は、以下の情報、すなわち、ネットワーク側デバイスにより使用される受信ビームの電力オフセット値、ランダムアクセスプリアンブルのフォーマット情報(preamble  format)、ネットワーク側デバイスの目標受信電力、preambleのフォーマット補正値、preambleを送信する回数、及びpreambleが再送されるときの電力ランピング(Power  Ramping)ステップ情報のうちの1つ以上の情報を含む。ネットワーク側デバイスは、ブロードキャストチャネル又はシステム情報を使用することにより、RACHの複数の設定情報を送信してもよい。ブロードキャストチャネルは、5Gシステムのブロードキャストチャネル又はLTEシステムにおけるブロードキャストチャネルでもよい。システムメッセージは、LTEシステムにおけるシステム情報ブロック(System  Information  Block,  略称SIB2)等又は5Gシステムにおける新たに定義されるシステム情報でもよい。ネットワークデバイスは基地局でもよい。
【００６２】
RACHの設定情報において、ネットワーク側デバイスにより使用される受信ビームの電力オフセット値は、この出願における新たに追加されるパラメータである。受信ビームの電力オフセット値は実数であり、異なる受信ビームは異なる電力オフセット値に対応してもよい。受信ビームの電力オフセット値は、受信ビームのビームフォーミング利得における変化に基づいてネットワーク側デバイスにより決定されるか、或いは受信ビームの電力オフセット値は、UEの送信ビームのビームフォーミング利得における変化に基づいてネットワーク側デバイスにより決定される。受信ビームの電力オフセット値は、RACHの送信電力のオフセットであり且つビームフォーミング利得における変化により引き起こされるオフセットを補償するために使用され、それにより、計算を通じてUEにより取得されるRACHの送信電力はより正確である。
【００６３】
4つのパラメータ、すなわち、ネットワーク側デバイスの目標受信電力、preambleのフォーマット補正値、preambleを送信する回数、及びpreambleが再送されるときの電力ランピングステップの定義は、従来技術におけるものと同じである。4つのパラメータはプリアンブルフォーマットに関係し、異なるプリアンブルフォーマットは4つのパラメータの異なるセットに対応する。
【００６４】
この実施形態では、preambleは、S個のサイクリックプレフィックス(Cyclic  Prefix,  略称CP)及びT個の系列(Sequence)を含む。各サイクリックプレフィックスの長さはTcpであり、各系列の長さはTseqである。preambleのフォーマット情報は、サイクリックプレフィックスの数S及び/又は系列の数Tを含み、S及びTは1以上の整数である。ここで、S及びTは柔軟に設定されてもよい。異なるプリアンブルフォーマットは、S及びTの値の異なるセットに対応する。
【００６５】
任意選択で、サイクリックプレフィックスの数S及び系列の数Tは、以下のこと、すなわち、TはSの整数倍であることを満たす。したがって、preambleのフォーマット情報は、サイクリックプレフィックスの数Sのみ、又は系列の数Tのみを含んでもよい。UEは、SとTとの間の対応関係に基づいて、Sを使用することによりTを取得するか、或いはTを使用することによりSを取得する。
【００６６】
図３は、プリアンブルフォーマットの概略図である。図３は、2つのタイプのプリアンブルフォーマットを含む。第1のタイプのプリアンブルフォーマットにおけるpreambleのT個の系列は、1つの送信ビームに対応し、第2のタイプのプリアンブルフォーマットにおけるpreambleのT個の系列は、複数の送信ビームに対応する。T個の系列が複数の送信ビームに対応するとき、複数の送信ビームにおける各送信ビームの開始周波数領域リソース位置は、T個の系列における系列のインデックスに関係する。例えば、各送信ビームにより占有される時間周波数リソースが6つのリソースブロック(Resource  Block,  略称RB)であり、送信ビーム1がT個の系列における第1の系列に対応し、送信ビームの開始周波数領域リソース位置はf1であり、送信ビームi(iは2以上である)の開始周波数領域リソース位置はf1+(i-1)×6であると仮定する。ここで、iはまた、T個の系列における送信ビームiにより占有される時間周波数リソースのインデックスである。ネットワーク側デバイスは、異なるシナリオに基づいて、異なるタイプのプリアンブルフォーマットを使用するようにUEを設定できる。
【００６７】
第1のタイプのプリアンブルフォーマットは、ネットワーク側デバイスが複数の受信ビームをポーリングするシナリオに適用可能である。このシナリオでは、UEは、同じ送信ビームに基づいてpreambleを複数回繰り返し送信し、ネットワーク側デバイスは、異なる受信ビームを使用することによりpreambleを毎回受信し、ネットワーク側デバイスは、複数回受信されたpreambleに基づいて最適な受信ビームを決定する。このタイプのプリアンブルフォーマットでは、サイクリックプレフィックスの数Sは1に等しく、系列の数Tは1より大きく、最後の部分はガード期間(Guard  Period,  略称GP)である。このタイプのプリアンブルフォーマットは、サイクリックプレフィックスのオーバーヘッドの最小化を実現し得る。サイクリックプレフィックスは有効なデータ信号を送信するために使用できないので、最小化されたサイクリックプレフィックスのフォーマットはpreambleの送信効率を改善し得る。図２に示す例では、第1のタイプのプリアンブルフォーマットにおいて、3つの系列が1つの送信ビームに対応し、言い換えると、UEは、同じ送信ビームに基づいてpreambleを3回繰り返し送信し、対応して、ネットワーク側デバイスは、1つの受信ビームを使用することによりpreambleを毎回受信し、最後に、ネットワーク側デバイスは、3回受信したpreambleに基づいて3つの受信ビームから最適な受信ビームを決定する。
【００６８】
第2のタイプのプリアンブルフォーマットは、UEが複数の送信ビームをポーリングするシナリオに適用可能である。このシナリオでは、UEは、異なる送信ビームに基づいてpreambleを複数回送信し、ネットワーク側デバイスは、複数回受信した複数のpreambleに基づいて最適な送信ビームを決定する。異なる送信ビームは異なるビームフォーミング利得に対応するので、異なる送信ビームを使用することによりUEにより送信されるpreambleは、同じサイクリックプレフィックス長又は異なるサイクリックプレフィックス長及び/又は同じ系列長又は異なる系列長を有してもよい。このタイプのプリアンブルフォーマットでは、サイクリックプレフィックスの数Sと系列の数Tとの双方が1より大きく、最後の部分はGPである。このタイプのプリアンブルフォーマットは、異なる送信ビームに対するpreambleの性能の最適化を実現してもよく、したがって、プリアンブル送信効率が改善できる。
【００６９】
図３に示す例では、第2のタイプのプリアンブルフォーマットは、2つのサブタイプを含む。サブタイプ1では、T(T≧1)個の系列がT個の送信ビームに対応する。例えば、T=3のとき、3つの系列(系列1、系列2及び系列3)は、3つの送信ビームに対応する。UEは3つの送信ビームを使用することによりT個のpreambleを順次送信し、T個のpreambleは同じサイクリックプレフィックス長又は異なるサイクリックプレフィックス長及び/又は同じ系列長又は異なる系列長を有してもよい。ネットワーク側デバイスは、3つのプリアンブルを受信し、受信した3つのプリアンブルに基づいて最適な送信ビームを決定する。サブタイプ2は、第1のタイプとサブタイプ1との組み合わせであり、3つの系列は3つの送信ビームに対応し、各送信ビームはプリアンブルを2回送信するために使用される。
【００７０】
この実施形態では、RACHの各設定情報は、ネットワーク側デバイスの受信ビームに対応する。異なる受信ビームは、RACHの異なる設定情報に対応する。ネットワーク側デバイスが異なる受信ビームを使用するとき、UEは、受信ビームに対応するRACH設定パラメータを使用することにより、RACHの送信電力を計算する。
【００７１】
任意選択で、RACHの各設定情報は、UEの送信ビームに対応する。UEの異なる送信ビームは、RACHの異なる設定情報に対応する。UEが異なる送信ビームを使用するとき、UEは、異なる送信ビームに対応し且つネットワークデバイスにより設定されたRACHの設定情報を使用することにより、RACHの送信電力を計算する。
【００７２】
ステップ102:ネットワーク側デバイスは、RACHのスケジューリングメッセージをUEに送信し、RACHのスケジューリングメッセージは、RACHの複数の設定情報のうちの1つの識別子情報を含む。
【００７３】
UEは、ネットワーク側デバイスにより送信されたRACHのスケジューリングメッセージを受信する。RACHのスケジューリングメッセージは、物理層制御コマンドを使用することにより、ネットワーク側デバイスによりUEに具体的に指示されてもよい。ネットワーク側デバイスは、制御チャネルコマンドを使用することにより、UEにより現在使用されているRACHの複数の設定情報のうちの1つを動的に指示する。
【００７４】
ステップ103:UEは、RACHのスケジューリングメッセージに含まれる識別子情報に基づいて、RACHの複数の設定情報から識別子情報に対応するRACHの設定情報を決定する。
【００７５】
RACHの複数の設定情報の各々は、1つの識別子情報を有する。UEは、物理層制御コマンドを使用することにより指示されるRACHの設定情報の識別子情報に基づいて、識別子情報に対応するRACHの設定情報を求めてRACHの複数の設定情報を検索する。
【００７６】
ステップ104:UEは、RACHの決定された設定情報に基づいて、RACHの送信電力を計算する。
【００７７】
4つのパラメータ、すなわち、ネットワーク側デバイスの目標受信電力、preambleのフォーマット補正値、preambleを送信する回数、及びpreambleが再送されるときの電力ランピングステップは併せて、以下では電力制御パラメータと呼ばれる。各識別子情報に対応するRACHの設定情報は、ネットワーク側デバイスにより使用される受信ビームの電力オフセット値、ランダムアクセスプリアンブルのフォーマット情報、ネットワーク側デバイスの目標受信電力、preambleのフォーマット補正値、preambleを送信する回数、及びpreambleが再送されるときの電力ランピングステップのうちの1つ以上を含む。
【００７８】
識別子情報に対応するRACHの設定情報が、ネットワーク側デバイスにより使用される受信ビームの電力オフセット値を含まないとき、RACHの送信電力は、前述の式(1)を使用することにより計算される。識別子情報に対応するRACHの設定情報が、RACHの受信ビームの電力オフセット値を含む場合、RACHの送信電力は、以下の式(2)を使用することにより計算される。
P=min{Pmax,PL+Po,pre+deltapre+(Npre-1)dPrampup+deltaBF}      (2)
式(1)と比較して、式(2)は、ネットワーク側デバイスにより使用される受信ビームの電力オフセット値deltaBFというもう1つの項を有する。
【００７９】
識別子情報に対応するRACHの設定情報が、ネットワーク側デバイスにより使用される受信ビームの電力オフセット値のみを含むとき、ネットワーク側デバイスは、他の方式で、各受信ビームに対応する電力制御パラメータをUEに送信する必要がある。UEは、前述の式(2)を使用することにより、ネットワーク側デバイスにより使用される受信ビームの電力オフセット値と、受信ビームに対応する電力制御パラメータとに基づいて、RACHの送信電力を計算する。
【００８０】
識別子情報に対応するRACHの設定情報が、ランダムアクセスプリアンブルのフォーマット情報のみを含むとき、UEは、まず、preambleのフォーマット情報に基づいてpreambleのフォーマットを決定する。異なるプリアンブルフォーマットは、異なる電力制御パラメータに対応する。対応して、ネットワーク側デバイスは、他の方式で、preambleの種々のフォーマットに対応する全ての電力制御パラメータをUEに送信する必要があり、UEは、preambleのフォーマット情報に基づいて、preambleのフォーマットに対応する予め取得された電力制御パラメータから、preambleのフォーマット情報に対応する電力制御パラメータを決定し、preambleのフォーマット情報に対応する電力制御パラメータに基づいて、前述の式(1)を使用することによりRACHの送信電力を更に計算する。
【００８１】
識別子情報に対応するRACHの設定情報が、ネットワーク側デバイスにより使用される受信ビームの電力オフセット値と、ランダムアクセスプリアンブルのフォーマット情報とを含むとき、UEは、まず、preambleのフォーマット情報に基づいて、preambleのフォーマット情報に対応する電力制御パラメータを決定し、次に、ネットワーク側デバイスにより使用される受信ビームの電力オフセット値と、preambleのフォーマット情報に対応する電力制御パラメータとに基づいて、前述の式(2)を使用することによりRACHの送信電力を計算する。
【００８２】
識別子情報に対応するRACHの設定情報が、電力制御パラメータのうちのいずれか1つのみ、いずれか2つ、又はいずれか3つを含むとき、識別子情報に対応するRACHの設定情報に含まれる電力制御パラメータ以外の残りの電力制御パラメータは、複数の受信ビームの共有電力制御パラメータである。共有電力制御パラメータは、ネットワーク側デバイスによりUEに事前に送信される。識別子情報に対応するRACHの設定情報を決定した後、UEは、識別子情報に対応するRACHの設定情報に含まれる電力制御パラメータと、予め取得された共有電力制御パラメータとに基づいて、前述の式(1)を使用することによりRACHの送信電力を計算する。例えば、識別子情報に対応するRACHの設定情報が、ネットワーク側デバイスの目標受信電力のみを含むとき、preambleのフォーマット補正値、preambleを送信する回数、及びpreambleが再送されるときの電力ランピングステップは、共有電力制御パラメータである。UEは、共有電力制御パラメータと、識別子情報に対応するRACHの設定情報に含まれるネットワーク側デバイスの目標受信電力とに基づいて、前述の式(1)を使用することによりRACHの送信電力を計算する。
【００８３】
識別子情報に対応するRACHの設定情報が、preambleを送信する回数及び/又はpreambleが再送されるときの電力ランピングステップのみを含むとき、UEは、予め取得された共有電力制御パラメータと、識別子情報に対応するRACHの設定情報に含まれる、preambleを送信する回数及び/又はpreambleが再送されるときの電力ランピングステップとに基づいて、前述の式(1)を使用することによりRACHの送信電力を計算する。UEの送信ビームが切り替えられるとき、ネットワーク側デバイスは、RACHの設定情報における電力ランピング回数のパラメータをリセット、維持又は増加してもよい。
【００８４】
識別子情報に対応するRACHの設定情報が全ての電力制御パラメータを含むとき、UEは、識別子情報に対応するRACHの設定情報に含まれる全ての電力制御パラメータに基づいて、前述の式(1)を使用することによりRACHの送信電力を計算する。
【００８５】
識別子情報に対応するRACHの設定情報が、ネットワーク側デバイスにより使用される受信ビームの電力オフセット値といずれか1つ以上の電力制御パラメータの双方を含むとき、UEは、予め取得された共有電力制御パラメータと、識別子情報に対応するRACHの設定情報に含まれる、ネットワーク側デバイスにより使用される受信ビームの電力オフセット値及び電力制御パラメータとに基づいて、前述の式(2)を使用することによりRACHの送信電力を計算する。
【００８６】
ステップ105:UEは、RACHの送信電力に基づいて、ランダムアクセスプリアンブルをネットワーク側デバイスに送信する。
【００８７】
この実施形態における方法では、ネットワーク側デバイスは、RACHの複数の設定情報をUEに送信し、RACHのスケジューリングメッセージを使用することにより、UEにより使用されるRACHの設定情報に対応する識別子情報を指示する。UEは、識別子情報に対応するRACHの設定情報に基づいて、RACHの送信電力を計算し、RACHの送信電力に基づいて、ランダムアクセスプリアンブルをネットワーク側デバイスに送信する。RACHの各設定情報は、ネットワーク側デバイスの受信ビーム又はUEの送信ビームに対応し、それにより、ネットワーク側デバイスは、RACHの送信電力を正確に制御してアップリンクRACHのアクセス成功率を改善するために、異なる受信ビーム又は送信ビームのビームフォーミング利得における変化に基づいて、RACHの送信電力を動的に調整できる。
【００８８】
図４は、実施形態2によるUEの概略構造図である。図４に示すように、この実施形態におけるUEは、受信モジュール11と、決定モジュール12と、計算モジュール13と、送信モジュール14とを含む。
【００８９】
受信モジュール11は、ネットワーク側デバイスにより送信されたランダムアクセスチャネルRACHの複数の設定情報を受信するように構成される。
【００９０】
受信モジュール11は、ネットワーク側デバイスにより送信されたRACHのスケジューリングメッセージを受信するように更に構成され、RACHのスケジューリングメッセージは、RACHの複数の設定情報のうちの1つの識別子情報を含む。
【００９１】
決定モジュール12は、RACHのスケジューリングメッセージに含まれる識別子情報に基づいて、RACHの複数の設定情報から識別子情報に対応するRACHの設定情報を決定するように構成される。
【００９２】
計算モジュール13は、決定モジュール13により決定されたRACHの設定情報に基づいて、RACHの送信電力を計算するように構成される。
【００９３】
送信モジュール14は、RACHの送信電力に基づいて、ランダムアクセスプリアンブルをネットワーク側デバイスに送信するように構成される。
【００９４】
任意選択で、RACHの各設定情報は、以下の情報、すなわち、ネットワーク側デバイスにより使用される受信ビームの電力オフセット値、ランダムアクセスプリアンブルのフォーマット情報、ネットワーク側デバイスの目標受信電力、プリアンブルのフォーマット補正値、プリアンブルを送信する回数、及びプリアンブルが再送されるときの電力ランピングステップ情報のうちの1つ以上の情報を含む。
【００９５】
任意選択で、RACHの各設定情報は、ネットワーク側デバイスの受信ビームに対応する。
【００９６】
任意選択で、RACHの各設定情報は、UEの送信ビームに対応する。
【００９７】
任意選択で、RACHの複数の設定情報は、ブロードキャストチャネル又はシステム情報を使用することにより、ネットワーク側デバイスによりUEに送信される。
【００９８】
任意選択で、RACHのスケジューリングメッセージは、物理層制御コマンドを使用することにより、ネットワーク側デバイスによりUEに指示される。
【００９９】
任意選択で、プリアンブルは、S個のサイクリックプレフィックス及びT個の系列を含み、プリアンブルのフォーマット情報は、サイクリックプレフィックスの数S及び/又は系列の数Tを含み、S及びTは1以上の整数である。
【０１００】
任意選択で、サイクリックプレフィックスの数S及び系列の数Tは、以下のこと、すなわち、TはSの整数倍であることを満たす。
【０１０１】
任意選択で、UEの送信ビームが切り替えられるとき、RACHの設定情報に含まれる電力ランピング回数は変更されないままである。
【０１０２】
実施形態3はネットワーク側デバイスを提供する。この実施形態におけるネットワーク側デバイスは、送信モジュールを含む。送信モジュールは、ランダムアクセスチャネルRACHの複数の設定情報をUEに送信し、RACHのスケジューリングメッセージをUEに送信するように構成される。RACHのスケジューリングメッセージは、RACHの複数の設定情報のうちの1つの識別子情報を含む。
【０１０３】
任意選択で、RACHの各設定情報は、以下の情報、すなわち、ネットワーク側デバイスにより使用される受信ビームの電力オフセット値、ランダムアクセスプリアンブルのフォーマット情報、ネットワーク側デバイスの受信電力、プリアンブルのフォーマット補正値、プリアンブルを送信する回数、及びプリアンブルが再送されるときの電力ランピングステップ情報のうちの1つ以上の情報を含む。
【０１０４】
任意選択で、RACHの各設定情報は、ネットワーク側デバイスの受信ビームに対応する。
【０１０５】
任意選択で、RACHの各設定情報は、UEの送信ビームに対応する。
【０１０６】
任意選択で、RACHの複数の設定情報は、ブロードキャストチャネル又はシステム情報を使用することにより、ネットワーク側デバイスによりUEに送信される。
【０１０７】
任意選択で、RACHのスケジューリングメッセージは、物理層制御コマンドを使用することにより、ネットワーク側デバイスによりUEに指示される。
【０１０８】
任意選択で、プリアンブルは、S個のサイクリックプレフィックス及びT個の系列を含み、プリアンブルのフォーマット情報は、サイクリックプレフィックスの数S及び/又は系列の数Tを含み、S及びTは1以上の整数である。
【０１０９】
任意選択で、サイクリックプレフィックスの数S及び系列の数Tは、以下のこと、すなわち、TはSの整数倍であることを満たす。
【０１１０】
任意選択で、UEの送信ビームが切り替えられるとき、RACHの設定情報に含まれる電力ランピング回数は変更されないままである。
【０１１１】
図５は、実施形態4によるUEの概略構造図である。図５に示すように、この実施形態で提供されるUEは、プロセッサ21と、メモリ22と、通信インターフェース23とを含む。メモリ22及び通信インターフェース23は、バスを使用することによりプロセッサ21に接続されて通信する。メモリ22は、命令を記憶するように構成される。通信インターフェース23は、他のデバイスと通信するように構成される。プロセッサ21は、メモリ22に記憶された命令を実行するように構成され、それにより、UEは、実施形態1においてUEにより実行される方法を実行する。通信インターフェース23は、データをネットワーク側デバイスに送信し、ネットワーク側デバイスにより送信されたデータを受信するように構成でき、通信インターフェース23は、受信機及び送信機を含んでもよい。
【０１１２】
図６は、実施形態5よるネットワーク側デバイスの概略構造図である。図６に示すように、この実施形態で提供されるネットワーク側デバイスは、プロセッサ31と、メモリ32と、通信インターフェース33とを含む。メモリ32及び通信インターフェース33は、バスを使用することによりプロセッサ31に接続されて通信する。メモリ32は、命令を記憶するように構成される。通信インターフェース33は、他のデバイスと通信するように構成される。プロセッサ31は、メモリ32に記憶された命令を実行するように構成され、それにより、ネットワーク側デバイスは、実施形態1においてネットワーク側デバイスにより実行される方法を実行する。通信インターフェース33は、データをUEに送信し、UEにより送信されたデータを受信するように構成でき、通信インターフェース23は、受信機及び送信機を含んでもよい。
【０１１３】
図７は、実施形態6によるアップリンク電力制御方法のフローチャートである。図７に示すように、この実施形態で提供される方法は、以下のステップを含む。
【０１１４】
ステップ201:ネットワーク側デバイスは、UEのための電力オフセット情報を設定し、電力オフセット情報は、UEの送信電力を調整するために使用される。
【０１１５】
ステップ202:UEは、ネットワーク側デバイスにより設定された電力オフセット情報を受信する。
【０１１６】
電力オフセット情報は、UE又はネットワーク側デバイスのビームフォーミング利得における変化に基づいて、ネットワーク側デバイスにより決定される。任意選択で、ステップ201の前に、ネットワーク側デバイスは、UE又はネットワーク側デバイスでのビームフォーミング利得における変化に基づいて、電力オフセット情報を生成する。各電力オフセット項は、ビームフォーミング利得の補償項に対応する。ビームフォーミング利得における変化は、形成されたビームのアンテナポートの数の変化により引き起こされてもよく、或いは形成されたビームの方向変化により引き起こされてもよい。或いは、ビームフォーミング利得の現在の変化の他の理由が存在してもよい。形成されたビームを生成するアンテナポートの数がT(T≧2)からT/2に変化したとき、ビームフォーミング利得における変化により引き起こされる電力オフセット項は3dBである(この場合、形成されたビームを生成するアンテナポートの数はTからT/2に変化し、したがって、ビームフォーミング利得における生成された変化は3dBである)。さらに、送信端又は受信端の形成されたビームをビーム1(45度位相での形成されたビーム等)からビーム2(60度位相での形成されたビーム等)に変化したとき、ビームフォーミング変化により引き起こされる電力オフセット項は0.8dB(形成されたビームにおける方向変化により引き起こされるビームフォーミング利得における変化)でもよく、ビームフォーミングは送信端又は受信端のビームフォーミングでもよい。これは、ここでは限定されない。
【０１１７】
第1の実現方式において、ネットワーク側デバイスは、まず、N個の電力オフセット項をUEに送信し、N個の電力オフセット項は{AG1,AG2,...,AGN}として表されてもよく、AGiは任意の実数である。ネットワーク側デバイスは、高レイヤシグナリングを使用することにより、N個の電力オフセット項をUEに送信できる。ネットワーク側デバイスは、各電力オフセット項についてインデックスを更に確立し、N個の電力オフセット項はN個のインデックスに対応する。電力オフセット項のインデックスは、いくつかのビットを使用することにより示されてもよい。例えば、Nの値が4であるとき、電力オフセット項のインデックスは、2ビットを使用することにより示されてもよく、4つの電力オフセット項のインデックスは、00、01、10及び11を使用することにより示されてもよい。続いて、ネットワーク側デバイスは、N個の電力オフセット項のいずれか1つのインデックスをUEに送信する。具体的には、電力オフセット項のインデックスを送信する前に、ネットワーク側デバイスは、ビームフォーミング利得における変化に基づいて、N個の電力オフセット項からビームフォーミング利得における現在の変化に対応する電力オフセット項を決定し、ビームフォーミング利得における現在の変化に対応する電力オフセット項のインデックスをUEに送信する。ネットワーク側デバイスは、ダウンリンク制御シグナリングを使用することにより、電力オフセット項のインデックスをUEに送信する。UEは、N個の電力オフセット項と、ネットワーク側デバイスにより送信されたいずれかの電力オフセット項のインデックスとを受信する。
【０１１８】
電力オフセット項の値の集合のサイズNは、電力オフセット項のインデックスに対応する制御シグナリングのビット数が固定値であることを確保するために、通常では固定値であることが理解されるべきである。
【０１１９】
ネットワーク側デバイスは、ダウンリンク制御シグナリングにおいてTPCコマンドフィールドを使用することにより、電力オフセット項のインデックスを具体的に送信してもよい。ネットワーク側デバイスはTPCコマンドフィールドをUEに送信する。TPCコマンドフィールドは、電力オフセット項のインデックスに対応するか、或いは電力コマンドワードフィールドは、電力オフセット項及びTPCコマンドに対応する。ダウンリンク制御シグナリングは、アップリンクデータ送信に使用されるダウンリンク制御情報(Downlink  Control  Information,  略称DCI)フォーマット、例えば、ロングタームエボリューション(Long  Term  Evolution,  略称LTE)システムにおけるDCIフォーマット(format)0/3/3A/4のいずれかにある。
【０１２０】
電力オフセット項に対応する値の集合は、少なくとも0dBの1つの値を含む必要があり、0dBの値は、ビームフォーミング利得が変化したときにUEがアップリンクチャネル又はアップリンク信号に対して電力調整を実行しないことを示すために使用される。
【０１２１】
TPCコマンドフィールドにおけるTPCコマンドの値が表１に示されると仮定する。累積形式と絶対形式は、TPCコマンドの2つの指示方式である。
【表１】
2019533938.tif 000003
【０１２２】
ネットワーク側デバイスにより設定された電力オフセット項の集合が{0.2,0.6,0.8,1.2}であると仮定する。電力オフセット項のインデックス及び電力コマンドワードが独立して指示に使用される場合、電力オフセット項に対応するTPCコマンドの値は表２に示される。
【表２】
2019533938.tif 000004
【０１２３】
TPCコマンド及び電力オフセット項が組み合わされてTPCコマンドフィールドとして表される場合、この場合、TPCコマンドフィールドのビット数は4であり、TPCコマンドフィールドの値は表３に示される。
【表３】
2019533938.tif 000005
【０１２４】
第2の実現方式において、ネットワーク側デバイスは、電力オフセット項をUEに送信する。具体的には、ビームフォーミング利得が変化したとき、ネットワーク側デバイスは、N個の電力オフセット項から、ビームフォーミング利得における現在の変化に対応する電力オフセット項を決定し、電力オフセット項又は電力オフセット項のインデックスをUEに送信し、UEは、ネットワーク側デバイスにより送信された電力オフセット項を受信する。ネットワーク側デバイスは、高レイヤシグナリングを使用することにより、電力オフセット項又は電力オフセット項のインデックスをUEに送信できる。
【０１２５】
ステップ203:UEは、電力オフセット情報に基づいてアップリンクチャネル又はアップリンク信号の送信電力を決定する。
【０１２６】
まず、UEは、電力オフセット情報に基づいて電力オフセット項を決定し、次に、電力オフセット項に基づいてアップリンクチャネル又はアップリンク信号の送信電力を計算する。電力オフセット情報が電力オフセット項のインデックスであるとき、UEは、事前に受信したN個の電力オフセット項から、電力オフセット項に基づいて、電力オフセット項の受信したインデックスに対応する電力オフセット項を決定する。電力オフセット情報が電力オフセット項であるとき、UEは、電力オフセット項を使用することにより、アップリンクチャネル又はアップリンク信号の送信電力を直接計算する。アップリンクチャネルはアップリンクトラフィックチャネル又はアップリンク制御チャネルである。アップリンクトラフィックチャネルは、物理アップリンク共有チャネル(Physical  Uplink  Shared  Channel,  略称PUSCH)でもよく、アップリンク制御チャネルは、物理アップリンク制御チャネル(Physical  Uplink  Control  Channel,  略称PUCCH)でもよい。アップリンク信号はアップリンク参照信号でもよく、アップリンク参照信号は、サウンディング参照信号(Sounding  Reference  Signal,  略称SRS)でもよい。さらに、或いは、アップリンクチャネル又はアップリンク信号は、PUSCH、PUCCH、又はSRS以外の他のアップリンクチャネル又は信号でもよい。
【０１２７】
この実施形態において、ビームフォーミング利得における変化により引き起こされる電力オフセット項が考慮されるときのPUSCHの送信電力は、以下のように表されてもよい。
【数１】
2019533938.tif 000006
ここで、PCMAX,c(i)はプライマリサービングセルのキャリアc上のUEの合計送信電力である。
【０１２８】
MPUSCH,c(i)はPUSCHのためにスケジュールされたリソースブロックの数であり、MPUSCH,c(i)の単位はPRBである。
【０１２９】
PO_PUSCH,c(j)はPO_NOMIAL_PUSCH,c(j)及びPO_UE_PUSCH,c(j)の2つの項を含み、UEの目標受信電力を表すために使用され、半静的な方式で高レイヤRRCシグナリングを通じて設定される。PO_NOMIAL_PUSCH,c(j)はセル固有のパラメータであり、8ビットを占有し、半静的な方式で無線リソース制御(Radio  Resource  Control,  略称RRC)シグナリングを通じて設定される。
【０１３０】
αc(j)はパスロス補償係数であり、セル固有のパラメータであり、3ビットを占有し、半静的な方式で高レイヤRRCシグナリングを通じて設定される。
【０１３１】
PLcは参照信号受信電力(Reference  Signal  Receiving  Power,  略称RSRP)に基づいてUEにより取得されたパスロス測定値である。
【数２】
2019533938.tif 000007
は異なる変調及び符号化方式のための電力調整値であり、セル固有のパラメータであり、半静的な方式で高レイヤRRCシグナリングを通じて設定される。
【０１３２】
fc(i)は閉ループ電力調整量であり、受信/測定誤差に基づいて受信端により量子化されたフィードバック値である。
【０１３３】
ΔAG(i)はビームフォーミング利得における変化により引き起こされる電力オフセット項である。
【０１３４】
ΔAG(i)及びfc(i)はTPCコマンドフィールドに対応する。TPCコマンドフィールドにおけるΔAG(i)及びfc(i)は、1つの項に組み合わされてもよく、或いは2つの項として表されてもよい。これは、ここでは限定されない。
【０１３５】
さらに、PUSCHの送信電力は、他の形式で表されてもよい。これは、ここでは限定されない。
【０１３６】
この実施形態では、ビームフォーミング利得における変化により引き起こされる電力オフセット項が考慮されるときのPUCCHの送信電力は、以下のように表されてもよい。
【数３】
2019533938.tif 000008
ここで、P0_PUCCHはUEの目標受信電力を表し、半静的な方式で高レイヤRRCシグナリングを通じて設定される。
【０１３７】
ΔF_PUCCH(F)はPUCCHフォーマットに関係する電力制御調整パラメータであり、高レイヤ設定パラメータに基づいて決定される。
【０１３８】
h(nCQI,nHARQ,nSR)はPUCCH送信情報に関係するパラメータである。
【０１３９】
ΔTxD(F’)はPUCCH送信のためのアンテナポート数及びPUCCH送信モードに関係するパラメータである。
【０１４０】
g(i)は閉ループ電力制御調整値であり、ネットワークデバイスにより送信されるTPCコマンドに基づいて決定される。
【０１４１】
ΔAG(i)はビームフォーミング利得における変化により引き起こされる電力オフセット項である。
【０１４２】
ΔAG(i)及びg(i)はTPCコマンドフィールドに対応する。TPCコマンドフィールドにおけるΔAG(i)及びg(i)は、1つの項に組み合わされてもよく、或いは2つの項として表されてもよい。これは、ここでは限定されない。
【０１４３】
さらに、PUCCHの送信電力は、他の形式で表されてもよい。これは、ここでは限定されない。
【０１４４】
この実施形態では、ビームフォーミング利得における変化により引き起こされる電力オフセット項が考慮されるときのSRSの送信電力は、以下のように表されてもよい。
【数４】
2019533938.tif 000009
ここで、PSRS_OFFSET,c(m)は異なる変調及び符号化方式により引き起こされるPUSCHの送信電力及びSRSの送信電力のオフセット値を表す。
【０１４５】
MSRS,cはUEのSRS送信帯域幅を表し、他のパラメータはPUSCHの式における対応するパラメータと同じ意味及び値を有する。
【０１４６】
ΔAG(i)及びfc(i)はTPCコマンドフィールドに対応する。TPCコマンドフィールドにおけるΔAG(i)及びfc(i)は、1つの項に組み合わされてもよく、或いは2つの項として表されてもよい。これは、ここでは限定されない。
【０１４７】
さらに、PUSCHの送信電力は、他の形式で表されてもよい。これは、ここでは限定されない。
【０１４８】
PUSCH、PUCCH及びSRSに使用される電力制御の式は、単なる例である点に留意すべきである。任意選択で、電力制御の式は、他の形式の電力制御の式でもよい。これは、この実施形態では限定されない。
【０１４９】
この実施形態におけるアップリンク電力制御解決策は、デュアルコネクティビティ(Dual  connectivity,  略称DC)又はキャリアアグリゲーション(Carrier  aggregation,  略称CA)のシナリオにおける各セル又は各基地局におけるアップリンクチャネル又はアップリンク信号の送信電力設定のように、単一キャリアのシナリオ及びマルチキャリアのシナリオの双方に適用可能である点に留意すべきである。
【０１５０】
この実施形態において、ネットワーク側デバイスは、UEのための電力オフセット情報を設定する。電力オフセット情報は、UEの送信電力を調整するために使用される。電力オフセット情報は、UE又はネットワーク側デバイスのビームフォーミング利得における変化に基づいて、ネットワーク側デバイスにより決定される。UEは、ネットワークデバイスにより送信された電力オフセット情報を受信し、電力オフセット情報に基づいてアップリンクチャネル又はアップリンク信号の送信電力を決定する。アップリンクチャネル又はアップリンクチャネルの送信電力が決定されるときに、ビームフォーミング利得における変化により引き起こされる電力オフセットが考慮されるので、計算を通じて取得されたアップリンク送信電力は、より正確である。
【０１５１】
図８は実施形態7によるUEの概略構造図である。図８に示すように、この実施形態において提供されるUEは、
ネットワーク側デバイスにより設定された電力オフセット情報を受信するように構成された受信モジュール41であり、電力オフセット情報は、UEの送信電力を調整するために使用される、受信モジュール41と、
電力オフセット情報に基づいてアップリンクチャネル又はアップリンク信号の送信電力を決定するように構成された決定モジュール42と
を含む。
【０１５２】
受信モジュール41は、ネットワーク側デバイスにより送信されたN個の電力オフセット項を受信し、Nは1以上の正の整数であり、ネットワーク側デバイスにより送信されたN個の電力オフセット項のうちのいずれか1つのインデックスを受信する、ように具体的に構成される。対応して、決定モジュールは、電力オフセット項の受信したインデックスに基づいて、N個の電力オフセット項からインデックスに対応する電力オフセット項を決定し、決定された電力オフセット項に基づいて、アップリンクチャネル又はアップリンク信号の送信電力を決定するように具体的に構成される。
【０１５３】
任意選択で、N個の電力オフセット項は、高レイヤシグナリングを使用することにより、ネットワーク側デバイスによりUEに送信され、UEにより受信される電力オフセット項のインデックスは、ダウンリンク制御シグナリングを使用することにより、ネットワーク側デバイスによりUEに送信される。対応して、受信モジュールは、ネットワーク側デバイスにより送信されたTPCコマンドフィールドを受信し、TPCコマンドフィールドは、電力オフセット項のインデックスに対応するか、或いはTPCコマンドフィールドは、電力オフセット項のインデックス及びTPCコマンドに対応し、TPCコマンドフィールドに基づいて、N個の電力オフセット項からTPCコマンドフィールドに対応する電力オフセット項を決定する、ように具体的に構成される。
【０１５４】
任意選択で、ダウンリンク制御シグナリングのフォーマットは、アップリンクデータ送信に使用されるダウンリンク制御情報DCIフォーマットのいずれか1つである。
【０１５５】
任意選択で、受信モジュール41は、ネットワーク側デバイスにより送信された電力オフセット項を受信するように具体的に構成され、決定モジュールは、受信した電力オフセット項に基づいてアップリンクチャネル又はアップリンク信号の送信電力を決定するように具体的に構成される。
【０１５６】
任意選択で、受信モジュール41により受信される電力オフセット項は、高レイヤシグナリングを使用することにより、ネットワーク側デバイスによりユーザ装置UEに送信される。
【０１５７】
任意選択で、アップリンクチャネルはアップリンクトラフィックチャネル又はアップリンク制御チャネルであり、アップリンク信号はアップリンク参照信号である。
【０１５８】
この実施形態において提供されるUEは、実施形態6においてUEにより実行されるステップを実行するように構成されてもよい。具体的な実現方式及び技術的効果は、実施形態6のものと同様である。詳細はここでは再び説明しない。
【０１５９】
実施形態8はネットワーク側デバイスの概略構造図を提供する。この実施形態で提供されるネットワーク側デバイスは、設定モジュールを含む。設定モジュールは、UEのための電力オフセット情報を設定するように構成され、電力オフセット情報は、UEの送信電力を調整するために使用される。
【０１６０】
任意選択で、設定モジュールは、N個の電力オフセット項をUEに送信し、Nは1以上の正の整数であり、N個の電力オフセット項のいずれか1つのインデックスをUEに送信する、ように具体的に構成される。
【０１６１】
任意選択で、ネットワーク側デバイスは、高レイヤシグナリングを使用することにより、N個の電力オフセット項をUEに送信し、ネットワーク側デバイスは、ダウンリンク制御シグナリングを使用することにより、電力オフセット項のインデックスをUEに送信する。対応して、設定モジュールは、TPCコマンドフィールドをUEに送信するように具体的に構成され、TPCコマンドフィールドは、電力オフセット項のインデックスに対応するか、或いは電力コマンドワードフィールドは、電力オフセット項及びTPCコマンドに対応する。
【０１６２】
任意選択で、ダウンリンク制御シグナリングのフォーマットは、アップリンクデータ送信に使用されるダウンリンク制御情報DCIフォーマットのいずれか1つである。
【０１６３】
任意選択で、設定モジュールは、電力オフセット項をUEに送信するように具体的に構成される。
【０１６４】
任意選択で、ネットワーク側デバイスは、高レイヤシグナリングを使用することにより、電力オフセット項をUEに送信する。
【０１６５】
この実施形態におけるネットワーク側デバイスは、実施形態1における方法を実行するように構成されてもよい。具体的な実現方式及び技術的効果は、実施形態1のものと同様である。詳細はここでは再び説明しない。
【０１６６】
図９は、実施形態9によるUEの概略構造図である。図９に示すように、この実施形態で提供されるUEは、プロセッサ51と、メモリ52と、通信インターフェース53とを含む。メモリ52及び通信インターフェース53は、バスを使用することによりプロセッサ51に接続されて通信する。メモリ52は、命令を記憶するように構成される。通信インターフェース53は、他のデバイスと通信するように構成される。プロセッサ51は、メモリ52に記憶された命令を実行するように構成され、それにより、UEは、実施形態6において提供される方法においてUEにより実行される方法を実行する。通信インターフェース53は、データをネットワーク側デバイスに送信し、ネットワーク側デバイスにより送信されたデータを受信するように構成でき、通信インターフェース53は、受信機及び送信機を含んでもよい。
【０１６７】
図１０は、実施形態10によるネットワーク側デバイスの概略構造図である。図１０に示すように、この実施形態で提供されるネットワーク側デバイスは、プロセッサ61と、メモリ62と、通信インターフェース63とを含む。メモリ62及び通信インターフェース63は、バスを使用することによりプロセッサ61に接続されて通信する。メモリ62は、命令を記憶するように構成される。通信インターフェース63は、他のデバイスと通信するように構成される。プロセッサ61は、メモリ62に記憶された命令を実行するように構成され、それにより、ネットワーク側デバイスは、実施形態6において提供される方法においてネットワーク側デバイスにより実行されるステップを実行する。通信インターフェース63は、データをUEに送信し、UEにより送信されたデータを受信するように構成でき、通信インターフェース63は、受信機及び送信機を含んでもよい。
【０１６８】
この出願においてネットワーク側デバイス又はUEにより使用されるプロセッサは、中央処理装置(CPU)、汎用プロセッサ、デジタルシグナルプロセッサ(DSP)、特定用途向け集積回路(ASIC)、フィールドプログラマブルゲートアレイ(FPGA)若しくは他のプログラマブル論理デバイス、トランジスタ論理デバイス、ハードウェアコンポーネント、又はこれらのいずれかの組み合わせでもよいことが理解され得る。これは、この出願に開示された内容に関して記載される種々の例示的な論理ブロック、モジュール及び回路を実現又は実行してもよい。プロセッサはまた、計算機能の組み合わせ、例えば、1つ以上のマイクロプロセッサの組み合わせ又はDSPとマイクロプロセッサとの組み合わせでもよい。
【０１６９】
この出願に記載されるバスは、業界標準アーキテクチャ(Industry  Standard  Architecture,  ISA)バス、ペリフェラルコンポーネントインターコネクト(Peripheral  Component  Interconnect,  PCI)バス、拡張業界標準アーキテクチャ(Extended  Industry  Standard  Architecture,  EISA)バス等でもよい。バスは、アドレスバス、データバス、制御バス等として分類されてもよい。表現を容易にするために、この出願の添付図面におけるバスは、1つのみのバス又は1つのタイプのみのバスに限定されない。
【０１７０】
この出願において提供されるいくつかの実施形態において、開示された装置及び方法は、他の方式で実現されてもよいことが理解されるべきである。例えば、記載の装置の実施形態は、単なる例である。例えば、ユニット分割は単なる論理的機能分割であり、実際の実現方式においては他の分割でもよい。例えば、複数のユニット又はコンポーネントは組み合わされてもよく、或いは他のシステムに統合されてもよく、或いはいくつかの特徴が無視されても、或いは実行されなくてもよい。さらに、表示又は議論された相互結合又は直接結合又は通信接続は、いくつかのインターフェースを使用することにより実現されてもよい。装置又はユニットの間の間接結合又は通信接続は、電気的、機械的、又は他の形式で実現されてもよい。
【０１７１】
別個の部分として記載されるユニットは、物理的に離れてもよく、或いはそうでなくてもよい。ユニットとして表示される部分は、物理的なユニットでもよく、或いはそうでなくてもよく、言い換えると、1つの位置に配置されてもよく、或いは複数のネットワークユニットに分散されてもよい。ユニットの一部又は全部は、実施形態の解決策の目的を達成するために実際の要件に基づいて選択されてもよい。
【０１７２】
さらに、この出願の実施形態における機能ユニットは、1つの処理ユニットに統合されてもよく、或いはユニットのそれぞれが物理的に単独で存在してもよく、或いは2つ以上のユニットが1つのユニットに統合されてもよい。統合されたユニットは、ハードウェアの形式で実現されてもよく、或いはソフトウェア機能ユニットに加えてハードウェアの形式で実現されてもよい。
【０１７３】
前述の統合されたユニットがソフトウェア機能ユニットの形式で実現されるとき、統合されたユニットは、コンピュータ読み取り可能な記憶媒体に記憶されてもよい。ソフトウェア機能ユニットは、記憶媒体に記憶され、コンピュータデバイス(パーソナルコンピュータ、サーバ、ネットワークデバイス等でもよい)又はプロセッサ(英語:processor)に対して、この出願の実施形態に記載の方法のステップのいくつかを実行するように命令するためのいくつかの命令を含む。前述の記憶媒体は、USBフラッシュドライブ、リムーバブルハードディスク、読み取り専用メモリ(英語:Read-Only  Memory,  略称ROM)、ランダムアクセスメモリ(英語:Random  Access  Memory,  略称RAM)、磁気ディスク又は光ディスクのようなプログラムコードを記憶できるいずれかの媒体を含む。
【図１】
2019533938.tif 000010
【図２】
2019533938.tif 000011
【図３】
2019533938.tif 000012
【図４】
2019533938.tif 000013
【図５】
2019533938.tif 000014
【図６】
2019533938.tif 000015
【図７】
2019533938.tif 000016
【図８】
2019533938.tif 000017
【図９】
2019533938.tif 000018
【図１０】
2019533938.tif 000019
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
アップリンク電力制御方法であって、
ユーザ装置UEにより、ネットワーク側デバイスにより設定された電力オフセット情報を受信するステップであり、前記電力オフセット情報は、前記UEの送信電力を調整するために使用される、ステップと、
前記UEにより、前記電力オフセット情報に基づいてアップリンクチャネル又はアップリンク信号の送信電力を決定するステップと
を含む方法。
【請求項２】
UEにより、ネットワーク側デバイスにより設定された電力オフセット情報を受信するステップは、
前記UEにより、前記ネットワーク側デバイスにより送信されたN個の電力オフセット項を受信するステップであり、Nは1以上の正の整数である、ステップと、
前記UEにより、前記ネットワーク側デバイスにより送信されたTPCコマンドフィールドを受信するステップであり、前記TPCコマンドフィールドは、前記電力オフセット項のインデックスに対応する、ステップと
を含み、
前記UEにより、前記電力オフセット情報に基づいてアップリンクチャネル又はアップリンク信号の送信電力を決定するステップは、
前記UEにより、前記TPCコマンドフィールドに基づいて、前記N個の電力オフセット項から前記TPCコマンドフィールドに対応する電力オフセット項を決定するステップと、
前記UEにより、前記決定された電力オフセット項に基づいて、前記アップリンクチャネル又は前記アップリンク信号の前記送信電力を決定するステップと
を含む、請求項１に記載の方法。
【請求項３】
前記N個の電力オフセット項は、高レイヤシグナリングを使用することにより、前記ネットワーク側デバイスにより前記UEに送信され、
前記UEにより受信される前記電力オフセット項の前記インデックスは、ダウンリンク制御シグナリングを使用することにより、前記ネットワーク側デバイスにより前記UEに送信される、請求項２に記載の方法。
【請求項４】
前記ダウンリンク制御シグナリングのフォーマットは、アップリンクデータ送信に使用されるダウンリンク制御情報DCIフォーマットのいずれか1つである、請求項３に記載の方法。
【請求項５】
前記アップリンクチャネルはアップリンクトラフィックチャネル又はアップリンク制御チャネルであり、前記アップリンク信号はアップリンク参照信号である、請求項１乃至４のうちいずれか１項に記載の方法。
【請求項６】
ユーザ装置UEであって、
ネットワーク側デバイスにより設定された電力オフセット情報を受信するように構成された受信モジュールであり、前記電力オフセット情報は、前記UEの送信電力を調整するために使用される、受信モジュールと、
前記電力オフセット情報に基づいてアップリンクチャネル又はアップリンク信号の送信電力を決定するように構成された決定モジュールと
を含むUE。
【請求項７】
前記受信モジュールは、
前記ネットワーク側デバイスにより送信されたN個の電力オフセット項を受信し、Nは1以上の正の整数であり、
前記ネットワーク側デバイスにより送信されたTPCコマンドフィールドを受信し、前記TPCコマンドフィールドは、前記電力オフセット項のインデックスに対応する、
ように構成され、
前記決定モジュールは、
前記TPCコマンドフィールドに基づいて、前記N個の電力オフセット項から前記TPCコマンドフィールドに対応する電力オフセット項を決定し、
前記決定された電力オフセット項に基づいて、前記アップリンクチャネル又は前記アップリンク信号の前記送信電力を決定する
ように構成される、請求項６に記載のUE。
【請求項８】
前記N個の電力オフセット項は、高レイヤシグナリングを使用することにより、前記ネットワーク側デバイスにより前記UEに送信され、
前記UEにより受信される前記電力オフセット項の前記インデックスは、ダウンリンク制御シグナリングを使用することにより、前記ネットワーク側デバイスにより前記UEに送信される、請求項７に記載のUE。
【請求項９】
前記ダウンリンク制御シグナリングのフォーマットは、アップリンクデータ送信に使用されるダウンリンク制御情報DCIフォーマットのいずれか1つである、請求項８に記載のUE。
【請求項１０】
前記アップリンクチャネルはアップリンクトラフィックチャネル又はアップリンク制御チャネルであり、前記アップリンク信号はアップリンク参照信号である、請求項６乃至９のうちいずれか１項に記載のUE。
【手続補正２】
【補正対象書類名】明細書
【補正対象項目名】０００１
【補正方法】変更
【補正の内容】
【０００１】
［技術分野］
ランダムアクセスチャネル(Random  Access  Channel,  略称RACH)は、電力設定のために開ループ電力制御方式を使用する。RACHを使用することによりUEにより送信されるランダムアクセスプリアンブル(preamble)を受信するとき、基地局はビームフォーミング技術を使用してもよい。さらに、基地局は、ユーザにより送信された1つ以上のpreambleを受信するために、異なる受信ビームを使用してもよい。
【手続補正３】
【補正対象書類名】明細書
【補正対象項目名】０００８
【補正方法】変更
【補正の内容】
【０００８】
この出願の第1の態様はアップリンク電力制御方法を提供し、UEにより、ネットワーク側デバイスにより送信されたRACHの複数の設定情報を受信するステップと、ネットワーク側デバイスにより送信されたRACHのスケジューリングメッセージを受信するステップであり、RACHのスケジューリングメッセージは、RACHの複数の設定情報のうちの1つの識別子情報を含む、ステップと、UEにより、RACHのスケジューリングメッセージに含まれる識別子情報に基づいて、RACHの複数の設定情報から識別子情報に対応するRACHの設定情報を決定するステップと、RACHの決定された設定情報に基づいて、RACHの送信電力を計算し、RACHの送信電力に基づいて、ランダムアクセスプリアンブルをネットワーク側デバイスに送信するステップとを含む。RACHの各設定情報は、ネットワーク側デバイスの受信ビーム又はUEの送信ビームに対応し、それにより、ネットワーク側デバイスは、RACHの送信電力を正確に制御してアップリンクRACHのアクセス成功率を改善するために、異なる受信ビーム又は送信ビームのビームフォーミング利得における変化に基づいて、RACHの送信電力を動的に調整でき、それにより、データ送信電力効率、電力利用及びデータ送信性能の最大化を実現する。
【手続補正４】
【補正対象書類名】明細書
【補正対象項目名】００２４
【補正方法】変更
【補正の内容】
【００２４】
対応して、UEにより、ネットワーク側デバイスにより送信されたN個の電力オフセット項のうちのいずれか1つのインデックスを受信するステップは、
UEにより、ネットワーク側デバイスにより送信されたTPCコマンド(送信電力制御コマンド)フィールドを受信するステップであり、TPCコマンドフィールドは、電力オフセット項のインデックスに対応するか、或いはTPCコマンドフィールドは、電力オフセット項のインデックス及びTPCコマンドに対応する、ステップと、
UEにより、TPCコマンドフィールドに基づいて、N個の電力オフセット項からTPCコマンドフィールドに対応する電力オフセット項を決定するステップと
を含む。
【手続補正５】
【補正対象書類名】明細書
【補正対象項目名】００３２
【補正方法】変更
【補正の内容】
【００３２】
対応して、ネットワーク側デバイスにより、N個の電力オフセット項のいずれか1つのインデックスをUEに送信するステップは、
ネットワーク側デバイスにより、TPCコマンドフィールドをUEに送信するステップであり、TPCコマンドフィールドは、電力オフセット項のインデックスに対応するか、或いはTPCコマンドフィールドは、電力オフセット項及びTPCコマンドに対応する、ステップを含む。
【手続補正６】
【補正対象書類名】明細書
【補正対象項目名】００４７
【補正方法】変更
【補正の内容】
【００４７】
任意選択で、設定モジュールは、TPCコマンドフィールドをUEに送信するように具体的に構成され、TPCコマンドフィールドは、電力オフセット項のインデックスに対応するか、或いはTPCコマンドフィールドは、電力オフセット項及びTPCコマンドに対応する。
【手続補正７】
【補正対象書類名】明細書
【補正対象項目名】００６１
【補正方法】変更
【補正の内容】
【００６１】
対応して、UEは、ネットワーク側デバイスにより送信されたRACHの複数の設定情報を受信する。RACHの各設定情報は、以下の情報、すなわち、ネットワーク側デバイスにより使用される受信ビームの電力オフセット値、ランダムアクセスプリアンブルのフォーマット情報(preamble  format)、ネットワーク側デバイスの目標受信電力、preambleのフォーマット補正値、preambleを送信する回数、及びpreambleが再送されるときの電力ランピング(Power  Ramping)ステップ情報のうちの1つ以上の情報を含む。ネットワーク側デバイスは、ブロードキャストチャネル又はシステム情報を使用することにより、RACHの複数の設定情報を送信してもよい。ブロードキャストチャネルは、5Gシステムのブロードキャストチャネル又はLTEシステムにおけるブロードキャストチャネルでもよい。システムメッセージは、LTEシステムにおけるシステム情報ブロック(System  Information  Block,  略称SIB)等又は5Gシステムにおける新たに定義されるシステム情報でもよい。ネットワークデバイスは基地局でもよい。
【手続補正８】
【補正対象書類名】明細書
【補正対象項目名】００９２
【補正方法】変更
【補正の内容】
【００９２】
計算モジュール13は、決定モジュール12により決定されたRACHの設定情報に基づいて、RACHの送信電力を計算するように構成される。
【手続補正９】
【補正対象書類名】明細書
【補正対象項目名】０１１６
【補正方法】変更
【補正の内容】
【０１１６】
電力オフセット情報は、UE又はネットワーク側デバイスのビームフォーミング利得における変化に基づいて、ネットワーク側デバイスにより決定される。任意選択で、ステップ201の前に、ネットワーク側デバイスは、UE又はネットワーク側デバイスでのビームフォーミング利得における変化に基づいて、電力オフセット情報を生成する。各電力オフセット項は、ビームフォーミング利得の補償項に対応する。ビームフォーミング利得における変化は、形成されたビームのアンテナポートの数の変化により引き起こされてもよく、或いは形成されたビームの方向変化により引き起こされてもよい。或いは、ビームフォーミング利得の現在の変化の他の理由が存在してもよい。形成されたビームを生成するアンテナポートの数がT(T≧2)からT/2に変化したとき、ビームフォーミング利得における変化により引き起こされる電力オフセット項は3dBである(この場合、形成されたビームを生成するアンテナポートの数はTからT/2に変化し、したがって、ビームフォーミング利得における生成された変化は3dBである)。さらに、送信端又は受信端の形成されたビームをビーム1(45度位相での形成されたビーム等)からビーム2(60度位相での形成されたビーム等)に変化したとき、ビームフォーミング利得における変化により引き起こされる電力オフセット項は0.8dB(形成されたビームにおける方向変化により引き起こされるビームフォーミング利得における変化)でもよく、ビームフォーミングは送信端又は受信端のビームフォーミングでもよい。これは、ここでは限定されない。
【手続補正１０】
【補正対象書類名】明細書
【補正対象項目名】０１１９
【補正方法】変更
【補正の内容】
【０１１９】
ネットワーク側デバイスは、ダウンリンク制御シグナリングにおいてTPCコマンドフィールドを使用することにより、電力オフセット項のインデックスを具体的に送信してもよい。ネットワーク側デバイスはTPCコマンドフィールドをUEに送信する。TPCコマンドフィールドは、電力オフセット項のインデックスに対応するか、或いはTPCコマンドフィールドは、電力オフセット項及びTPCコマンドに対応する。ダウンリンク制御シグナリングは、アップリンクデータ送信に使用されるダウンリンク制御情報(Downlink  Control  Information,  略称DCI)フォーマット、例えば、ロングタームエボリューション(Long  Term  Evolution,  略称LTE)システムにおけるDCIフォーマット(format)0/3/3A/4のいずれかにある。
【手続補正１１】
【補正対象書類名】明細書
【補正対象項目名】０１２２
【補正方法】変更
【補正の内容】
【０１２２】
ネットワーク側デバイスにより設定された電力オフセット項の集合が{0.2,0.6,0.8,1.2}であると仮定する。電力オフセット項のインデックス及びTPCコマンドが独立して指示に使用される場合、電力オフセット項に対応するTPCコマンドの値は表２に示される。
【表２】
2019533938.tif 000020
【手続補正１２】
【補正対象書類名】明細書
【補正対象項目名】０１６１
【補正方法】変更
【補正の内容】
【０１６１】
任意選択で、ネットワーク側デバイスは、高レイヤシグナリングを使用することにより、N個の電力オフセット項をUEに送信し、ネットワーク側デバイスは、ダウンリンク制御シグナリングを使用することにより、電力オフセット項のインデックスをUEに送信する。対応して、設定モジュールは、TPCコマンドフィールドをUEに送信するように具体的に構成され、TPCコマンドフィールドは、電力オフセット項のインデックスに対応するか、或いはTPCコマンドフィールドは、電力オフセット項及びTPCコマンドに対応する。
【手続補正１３】
【補正対象書類名】明細書
【補正対象項目名】０１７３
【補正方法】変更
【補正の内容】
【０１７３】
前述の統合されたユニットがソフトウェア機能ユニットの形式で実現されるとき、統合されたユニットは、コンピュータ読み取り可能な記憶媒体に記憶されてもよい。ソフトウェア機能ユニットは、記憶媒体に記憶され、コンピュータデバイス(パーソナルコンピュータ、サーバ、ネットワークデバイス等でもよい)又はプロセッサ(processor)に対して、この出願の実施形態に記載の方法のステップのいくつかを実行するように命令するためのいくつかの命令を含む。前述の記憶媒体は、USBフラッシュドライブ、リムーバブルハードディスク、読み取り専用メモリ(Read-Only  Memory,  略称ROM)、ランダムアクセスメモリ(Random  Access  Memory,  略称RAM)、磁気ディスク又は光ディスクのようなプログラムコードを記憶できるいずれかの媒体を含む。
【国際調査報告】
2019533938.tif 000021
2019533938.tif 000022
2019533938.tif 000023
2019533938.tif 000024
2019533938.tif 000025